(57)【要約】【課題】センサ付き表示装置においてモアレの発生を防止又は低減する。【解決手段】一実施形態のセンサ付き表示装置は、複数の画素が配列された表示領域を有する表示パネルと、上記表示領域と平行な検出面に配置された導電性の細線片にて構成される電極パターンを有する、上記検出面への物体の近接又は接触を検出するための検出電極と、を備える。上記電極パターンは、３本の上記細線片の端部が接続される接続点を含む。【選択図】    図１１
2015232819.tif 000002
【特許請求の範囲】
【請求項１】
複数の画素が配列された表示領域を有する表示パネルと、
前記表示領域と平行な検出面に配置された導電性の細線片にて構成される電極パターンを有する、前記検出面への物体の近接又は接触を検出するための検出電極と、
を備え、
前記電極パターンは、３本の前記細線片の端部が接続される接続点を含む、
センサ付き表示装置。
【請求項２】
前記接続点において、前記３本の細線片のうちの２本が直線状に接続される、
請求項１に記載のセンサ付き表示装置。
【請求項３】
前記接続点において、前記３本の細線片がそれぞれ非直線状に接続される、
請求項１に記載のセンサ付き表示装置。
【請求項４】
前記電極パターンは、複数の前記細線片にて閉じられた輪郭の単位パターンを複数含み、
隣り合う前記単位パターンの輪郭は、少なくとも１つの前記細線片を共有する、
請求項１に記載のセンサ付き表示装置。
【請求項５】
前記電極パターンは、複数の前記細線片にて閉じられた輪郭の複数種類の単位パターンを含み、
前記複数種類の単位パターンの輪郭は、それぞれ異なる形状である、
請求項１に記載のセンサ付き表示装置。
【請求項６】
前記接続点において、３つの前記単位パターンの輪郭が接する、
請求項４又は５に記載のセンサ付き表示装置。
【請求項７】
前記単位パターンの輪郭は、４角形を除く多角形である、
請求項４又は５に記載のセンサ付き表示装置。
【請求項８】
前記単位パターンの輪郭は、１８０°よりも大きい内角を少なくとも１つ有する、
請求項７に記載のセンサ付き表示装置。
【請求項９】
前記検出電極との間で容量を形成する駆動電極と、
前記容量の変化に基づいて前記検出面への物体の近接又は接触を検出する検出回路と、を備え、
前記細線片は、金属材料にて形成され、
前記駆動電極は、透光性材料にて形成されるとともに、前記表示領域の法線方向において前記検出電極と異なる層に配置され、誘電体を挟んで前記検出電極と対向する、
請求項１に記載のセンサ付き表示装置。
【請求項１０】
前記表示パネルは、前記検出電極との間で容量を形成する共通電極と、前記副画素ごとに設けられるとともに絶縁膜を介して前記共通電極と対向する画素電極と、を備え、
前記容量の変化に基づいて前記検出面への物体の近接又は接触を検出する検出回路と、
前記副画素を駆動するための第１駆動信号、及び、前記容量を形成して前記検出面への物体の近接又は接触を前記検出回路に検出させるための第２駆動信号を選択的に前記共通電極に供給する駆動回路と、
をさらに備える、請求項１に記載のセンサ付き表示装置。
【発明の詳細な説明】
【技術分野】
【０００１】
本発明の実施形態は、センサ付き表示装置に関する。
【背景技術】
【０００２】
物体の接触あるいは接近を検出するセンサ（タッチパネルと称される場合もある）を備えたセンサ付き表示装置が実用化されている。センサの一例として、誘電体を介して向かい合う検出電極と駆動電極との間の容量の変化に基づいて物体の接触等を検出する静電容量型センサがある。
【０００３】
表示領域で物体の接触等を検出するために、検出電極及び駆動電極は、表示領域と重なるように配置される。このように配置された検出電極及び駆動電極が表示領域に含まれる画素と干渉し、いわゆるモアレが発生することがある。
【先行技術文献】
【特許文献】
【０００４】
【特許文献１】特開２０１２−１６４６４８号公報
【特許文献２】特開２０１２−１６３９５１号公報
【特許文献３】特開２０１３−２２５１９５号公報
【発明の概要】
【発明が解決しようとする課題】
【０００５】
本発明が解決しようとする課題は、モアレの発生を防止ないしは低減することが可能なセンサ付き表示装置を提供することである。
【課題を解決するための手段】
【０００６】
一実施形態に係るセンサ付き表示装置は、複数の画素が配列された表示領域を有する表示パネルと、上記表示領域と平行な検出面に配置された導電性の細線片にて構成される電極パターンを有する、上記検出面への物体の近接又は接触を検出するための検出電極と、を備える。上記電極パターンは、３本の上記細線片の端部が接続される接続点を含む。
【図面の簡単な説明】
【０００７】
【図１】図１は、第１実施形態に係るセンサ付き表示装置の構成を概略的に示す斜視図である。
【図２】図２は、上記表示装置の基本構成及び等価回路を概略的に示す図である。
【図３】図３は、上記表示装置の副画素の等価回路を概略的に示す図である。
【図４】図４は、上記表示装置の一部の構造を概略的に示す断面図である。
【図５】図５は、上記表示装置が備えるセンサの構成を概略的に示す平面図である。
【図６】図６は、上記表示装置が備えるセンサによるセンシングの原理（ミューチャル検出方式）を説明するための図である。
【図７】図７は、上記表示装置が備えるセンサによるセンシングの原理（セルフ検出方式）を説明するための図である。
【図８】図８は、上記表示装置が備えるセンサによるセンシングの原理（セルフ検出方式）を説明するための図である。
【図９】図９は、上記セルフ検出方式におけるセンサの駆動方法の具体例を説明するための図である。
【図１０】図１０は、上記表示装置が備えるセンサの検出電極がマトリクス状に配列された例を概略的に示す図である。
【図１１】図１１は、表示領域に配置された単位画素及び電極パターンの一例を示す模式図である。
【図１２】図１２は、表示領域に配置された単位画素及び電極パターンの他の例を示す模式図である。
【図１３】図１３は、第１実施形態に係る電極パターンを構成する単位パターンを示す模式図である。
【図１４】図１４は、第２実施形態に係る電極パターンの一部を示す模式図である。
【図１５】図１５は、第３実施形態に係る電極パターンの一部を示す模式図である。
【図１６】図１６は、第４実施形態に係る電極パターンの一部を示す模式図である。
【図１７】図１７は、第５実施形態に係る電極パターンの一部を示す模式図である。
【図１８】図１８は、第６実施形態に係る電極パターンの一部を示す模式図である。
【図１９】図１９は、第７実施形態に係る電極パターンの一部を示す模式図である。
【図２０】図２０は、第８実施形態に係る電極パターンの一部を示す模式図である。
【図２１】図２１は、第９実施形態に係る電極パターンの一部を示す模式図である。
【図２２】図２２は、第１０実施形態に係る電極パターンの一部を示す模式図である。
【図２３】図２３は、変形例１に係る表示領域の一部を示す模式図である。
【図２４】図２４は、変形例２に係る表示領域の一部を示す模式図である。
【発明を実施するための形態】
【０００８】
いくつかの実施形態につき、図面を参照しながら説明する。  
なお、開示はあくまで一例にすぎず、当業者において、発明の主旨を保っての適宜変更であって容易に想到し得るものについては、当然に本発明の範囲に含有される。また、図面は説明をより明確にするため、実際の態様に比べ、各部の幅、厚さ、形状等について模式的に表す場合があるが、あくまで一例であって、本発明の解釈を限定するものではない。また、本明細書と各図において、同一又は類似の構成要素には同一の符号を付し、詳細な説明を省略することがある。
（第１実施形態）
図１は、第１実施形態に係るセンサ付き表示装置の構成を概略的に示す斜視図である。なお、本実施形態においては、表示装置が液晶表示装置である場合について説明するが、これに限らず、有機エレクトロルミネッセンス表示装置等の自発光型表示装置、あるいは電気泳動素子等を有する電子ペーパ型表示装置等、あらゆるフラットパネル型の表示装置であってもよい。また、本実施形態に係るセンサ付き表示装置は、例えばスマートフォン、タブレット端末、携帯電話端末、ノートブックタイプのパーソナルコンピュータ、ゲーム機器等の種々の装置に用いることができる。
【０００９】
液晶表示装置ＤＳＰは、アクティブマトリクス型の液晶表示パネルＰＮＬ、液晶表示パネルＰＮＬを駆動する駆動ＩＣチップＩＣ１、静電容量型のセンサＳＥ、センサＳＥを駆動する駆動ＩＣチップＩＣ２、液晶表示パネルＰＮＬを照明するバックライトユニットＢＬ、制御モジュールＣＭ、フレキシブル配線基板ＦＰＣ１，ＦＰＣ２，ＦＰＣ３などを備える。
【００１０】
液晶表示パネルＰＮＬは、第１基板ＳＵＢ１と、第１基板ＳＵＢ１に対向配置された第２基板ＳＵＢ２と、第１基板ＳＵＢ１と第２基板ＳＵＢ２との間に挟持された液晶層（後述する液晶層ＬＱ）と、を備える。なお、本実施形態において、第１基板ＳＵＢ１をアレイ基板と、第２基板ＳＵＢ２を対向基板と、それぞれ言い換えることができる。液晶表示パネルＰＮＬは、画像を表示する表示領域（アクティブエリア）ＤＡを備える。この液晶表示パネルＰＮＬは、バックライトユニットＢＬからのバックライト光を選択的に透過することで画像を表示する透過表示機能を備えた透過型である。なお、液晶表示パネルＰＮＬは、透過表示機能に加えて、外光を選択的に反射することで画像を表示する反射表示機能を備えた半透過型であってもよい。
【００１１】
バックライトユニットＢＬは、第１基板ＳＵＢ１の背面側に配置される。このようなバックライトユニットＢＬとしては、光源として発光ダイオード（ＬＥＤ）を利用したものなど種々の形態が適用可能である。なお、液晶表示パネルＰＮＬが反射表示機能のみを備えた反射型である場合、液晶表示装置ＤＳＰはバックライトユニットＢＬを備えない。
【００１２】
センサＳＥは、複数の検出電極Ｒｘを備える。これらの検出電極Ｒｘは、例えば液晶表示パネルＰＮＬの表示面の上方において、表示面と平行な検出面（Ｘ−Ｙ平面）に設けられている。図示した例では、各検出電極Ｒｘは、概ねＸ方向に延出し、Ｙ方向に並んでいる。なお、各検出電極Ｒｘは、Ｙ方向に延出しＸ方向に並んでいてもよいし、島状に形成されＸ方向及びＹ方向にマトリクス状に配置されていてもよい。ここでは、Ｘ方向及びＹ方向は、互いに直交している。
【００１３】
駆動ＩＣチップＩＣ１は、液晶表示パネルＰＮＬの第１基板ＳＵＢ１上に搭載されている。フレキシブル配線基板ＦＰＣ１は、液晶表示パネルＰＮＬと制御モジュールＣＭとを接続している。フレキシブル配線基板ＦＰＣ２は、センサＳＥの検出電極Ｒｘと制御モジュールＣＭとを接続している。駆動ＩＣチップＩＣ２は、フレキシブル配線基板ＦＰＣ２上に搭載されている。フレキシブル配線基板ＦＰＣ３は、バックライトユニットＢＬと制御モジュールＣＭとを接続している。
【００１４】
図２は、図１に示した液晶表示装置ＤＳＰの基本構成及び等価回路を概略的に示す図である。液晶表示装置ＤＳＰは、液晶表示パネルＰＮＬなどに加えて、表示領域ＤＡの外側の非表示領域ＮＤＡにおいて、ソース線駆動回路ＳＤ、ゲート線駆動回路ＧＤ、共通電極駆動回路ＣＤなどを備える。
【００１５】
液晶表示パネルＰＮＬは、表示領域ＤＡにおいて、複数の副画素ＳＰＸを備える。複数の副画素ＳＰＸは、Ｘ方向及びＹ方向に沿ってｉ×ｊ（ｉ，ｊは正の整数）のマトリクス状に設けられる。各副画素ＳＰＸは、例えば赤色、緑色、青色、白色などの色に対応して設けられる。それぞれ異なる色に対応する複数の副画素ＳＰＸによって、カラー画像を構成する最小単位である単位画素ＰＸが構成される。また、液晶表示パネルＰＮＬは、表示領域ＤＡにおいて、ｊ本のゲート線Ｇ（Ｇ１〜Ｇｊ）、ｉ本のソース線Ｓ（Ｓ１〜Ｓｉ）、共通電極ＣＥなどを備える。
【００１６】
ゲート線Ｇは、Ｘ方向に略直線的に延出し、表示領域ＤＡの外側に引き出され、ゲート線駆動回路ＧＤに接続されている。また、ゲート線Ｇは、Ｙ方向に間隔を置いて並べられている。ソース線Ｓは、Ｙ方向に略直線的に延出し、表示領域ＤＡの外側に引き出され、ソース線駆動回路ＳＤに接続されている。また、ソース線Ｓは、Ｘ方向に間隔を置いて並べられ、ゲート線Ｇと交差している。なお、ゲート線Ｇ及びソース線Ｓは、必ずしも直線的に延出していなくてもよく、それらの一部が屈曲していてもよい。共通電極ＣＥは、表示領域ＤＡの外側に引き出され、共通電極駆動回路ＣＤに接続されている。この共通電極ＣＥは、複数の副画素ＳＰＸで共用される。共通電極ＣＥの詳細については後述する。
【００１７】
図３は、図２に示した副画素ＳＰＸの等価回路図である。各副画素ＳＰＸは、スイッチング素子ＰＳＷ、画素電極ＰＥ、共通電極ＣＥ、液晶層ＬＱなどを備える。スイッチング素子ＰＳＷは、例えば薄膜トランジスタで形成されている。スイッチング素子ＰＳＷは、ゲート線Ｇ及びソース線Ｓと電気的に接続されている。スイッチング素子ＰＳＷは、トップゲート型あるいはボトムゲート型のいずれであってもよい。また、スイッチング素子ＰＳＷの半導体層は、例えば、ポリシリコンによって形成されるが、アモルファスシリコンや酸化物半導体などによって形成されてもよい。画素電極ＰＥは、スイッチング素子ＰＳＷに電気的に接続されている。画素電極ＰＥは、共通電極ＣＥと対向している。共通電極ＣＥ及び画素電極ＰＥは、保持容量ＣＳを形成する。
【００１８】
図４は、液晶表示装置ＤＳＰの一部の構造を概略的に示す断面図である。液晶表示装置ＤＳＰは、上述した液晶表示パネルＰＮＬ及びバックライトユニットＢＬに加えて、第１光学素子ＯＤ１及び第２光学素子ＯＤ２なども備える。なお、図示した液晶表示パネルＰＮＬは、表示モードとしてＦＦＳ（Fringe Field Switching）モードに対応した構成を有しているが、他の表示モードに対応した構成を有していてもよい。
【００１９】
液晶表示パネルＰＮＬは、第１基板ＳＵＢ１、第２基板ＳＵＢ２、及び、液晶層ＬＱを備える。第１基板ＳＵＢ１と第２基板ＳＵＢ２とは所定のセルギャップを形成した状態で貼り合わされている。液晶層ＬＱは、第１基板ＳＵＢ１と第２基板ＳＵＢ２との間のセルギャップに形成される空間に保持されている。
【００２０】
第１基板ＳＵＢ１は、ガラス基板や樹脂基板などの光透過性を有する第１絶縁基板１０を用いて形成されている。第１基板ＳＵＢ１は、第１絶縁基板１０の面のうち第２基板ＳＵＢ２に対向する面に、ソース線Ｓ、共通電極ＣＥ、画素電極ＰＥ、第１絶縁膜１１、第２絶縁膜１２、第３絶縁膜１３、第１配向膜ＡＬ１などを備える。
【００２１】
第１絶縁膜１１は、第１絶縁基板１０の上に配置されている。なお、詳述しないが、第１絶縁基板１０と第１絶縁膜１１との間には、ゲート線Ｇ、スイッチング素子のゲート電極及び半導体層などが配置されている。ソース線Ｓは、第１絶縁膜１１の上に形成されている。また、スイッチング素子ＰＳＷのソース電極やドレイン電極なども第１絶縁膜１１の上に形成されている。
【００２２】
第２絶縁膜１２は、ソース線Ｓ及び第１絶縁膜１１の上に配置されている。共通電極ＣＥは、第２絶縁膜１２の上に形成されている。このような共通電極ＣＥは、インジウム錫酸化物（Indium Tin Oxide：ＩＴＯ）やインジウム亜鉛酸化物（Indium Zinc Oxide：ＩＺＯ）などの透明な導電材料によって形成されている。なお、図示した例では、共通電極ＣＥの上に金属層ＭＬが形成され、共通電極ＣＥを低抵抗化しているが、金属層ＭＬは省略してもよい。
【００２３】
第３絶縁膜１３は、共通電極ＣＥ及び第２絶縁膜１２の上に配置されている。画素電極ＰＥは、第３絶縁膜１３の上に形成されている。各画素電極ＰＥは、隣接するソース線Ｓの間にそれぞれ位置し、共通電極ＣＥと対向している。また、各画素電極ＰＥは、共通電極ＣＥと対向する位置にスリットＳＬを有している。このような画素電極ＰＥは、例えば、ＩＴＯやＩＺＯなどの透明な導電材料によって形成されている。第１配向膜ＡＬ１は、画素電極ＰＥ及び第３絶縁膜１３を覆っている。
【００２４】
一方、第２基板ＳＵＢ２は、ガラス基板や樹脂基板などの光透過性を有する第２絶縁基板２０を用いて形成されている。第２基板ＳＵＢ２は、第２絶縁基板２０の第１基板ＳＵＢ１に対向する側に、ブラックマトリクスＢＭ、カラーフィルタＣＦＲ、ＣＦＧ、ＣＦＢ、オーバーコート層ＯＣ、第２配向膜ＡＬ２などを備える。
【００２５】
ブラックマトリクスＢＭは、第２絶縁基板２０の内面に形成され、各副画素ＳＰＸを区画している。
カラーフィルタＣＦＲ、ＣＦＧ、ＣＦＢは、それぞれ第２絶縁基板２０の内面に形成され、それらの一部がブラックマトリクスＢＭに重なっている。カラーフィルタＣＦＲは、赤色の副画素ＳＰＸＲに配置された赤色カラーフィルタであり、赤色の樹脂材料によって形成されている。カラーフィルタＣＦＧは、緑色の副画素ＳＰＸＧに配置された緑色カラーフィルタであり、緑色の樹脂材料によって形成されている。カラーフィルタＣＦＢは、青色の副画素ＳＰＸＢに配置された青色カラーフィルタであり、青色の樹脂材料によって形成されている。図示した例は、単位画素ＰＸが赤色、緑色、青色にそれぞれ対応する副画素ＳＰＸＲ，ＳＰＸＧ，ＳＰＸＢによって構成されている。但し、単位画素ＰＸは、上記の３つの副画素ＳＰＸＲ，ＳＰＸＧ，ＳＰＸＢの組み合わせによるものに限られない。例えば、単位画素ＰＸは、副画素ＳＰＸＲ，ＳＰＸＧ，ＳＰＸＢに白色の副画素ＳＰＸＷを加えた４つの副画素ＳＰＸによって構成されてもよい。この場合、白色あるいは透明のカラーフィルタが副画素ＳＰＸＷに配置されてもよいし、副画素ＳＰＸＷのカラーフィルタそのものを省略してもよい。あるいは、白色に代えて、他の色、例えば黄色の副画素を配置してもよい。
【００２６】
オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
検出電極Ｒｘは、第２絶縁基板２０の外面側に形成されている。すなわち、本実施形態において、上記の検出面は、第２絶縁基板２０の外面側に位置する。この検出電極Ｒｘの詳細な構造については後述する。
【００２７】
図１及び図４から明らかなように、検出電極Ｒｘ及び共通電極ＣＥは、表示領域ＤＡの法線方向において異なる層に配置され、第３絶縁膜１３、第１配向膜ＡＬ１、液晶層ＬＱ、第２配向膜ＡＬ２、オーバーコート層ＯＣ、カラーフィルタＣＦＲ、ＣＦＧ、ＣＦＢ、第２絶縁基板２０といった誘電体を挟んで対向する。
【００２８】
第１光学素子ＯＤ１は、第１絶縁基板１０とバックライトユニットＢＬとの間に配置されている。第２光学素子ＯＤ２は、検出電極Ｒｘの上方に配置されている。第１光学素子ＯＤ１及び第２光学素子ＯＤ２は、それぞれ少なくとも偏光板を含んでおり、必要に応じて位相差板を含んでいてもよい。
【００２９】
次に、本実施形態の液晶表示装置ＤＳＰに搭載される静電容量型のセンサＳＥについて説明する。図５は、本実施形態におけるセンサＳＥの構成を概略的に示す平面図である。本実施形態において、センサＳＥは、第１基板ＳＵＢ１の共通電極ＣＥ及び第２基板ＳＵＢ２の検出電極Ｒｘによって構成される。すなわち、共通電極ＣＥは、表示用の電極として機能するとともに、センサ駆動用の電極としても機能する。
【００３０】
液晶表示パネルＰＮＬは、上記の共通電極ＣＥ及び検出電極Ｒｘに加えて、リード線Ｌを備える。共通電極ＣＥ及び検出電極Ｒｘは、表示領域ＤＡに配置されている。図示した例では、共通電極ＣＥは、複数の分割電極Ｃを備える。各分割電極Ｃは、表示領域ＤＡにおいてＹ方向に略直線的に延びるとともに、Ｘ方向に間隔を置いて並ぶ。検出電極Ｒｘは、表示領域ＤＡにおいてＸ方向に略直的に延びるとともに、Ｙ方向に間隔をおいて並ぶ。つまり、ここでは、検出電極Ｒｘは、分割電極Ｃと交差する方向に延出している。これらの分割電極Ｃ及び検出電極Ｒｘは、上記の通り、各種誘電体を挟んで対向している。
【００３１】
次に、上記したＦＦＳモードの液晶表示装置ＤＳＰにおいて画像を表示する表示駆動時の動作について説明する。まず、液晶層ＬＱに電圧が印加されていないオフ状態について説明する。オフ状態は、画素電極ＰＥと共通電極ＣＥとの間に電位差が形成されていない状態に相当する。このようなオフ状態では、液晶層ＬＱに含まれる液晶分子は、第１配向膜ＡＬ１及び第２配向膜ＡＬ２の配向規制力によりＸ−Ｙ平面内において一方向に初期配向している。バックライトユニットＢＬからのバックライト光の一部は、第１光学素子ＯＤ１の偏光板を透過し、液晶表示パネルＰＮＬに入射する。液晶表示パネルＰＮＬに入射した光は、偏光板の吸収軸と直交する直線偏光である。このような直線偏光の偏光状態は、オフ状態の液晶表示パネルＰＮＬを通過した際にほとんど変化しない。このため、液晶表示パネルＰＮＬを透過した直線偏光のほとんどが、第２光学素子ＯＤ２の偏光板によって吸収される（黒表示）。
【００３２】
続いて、液晶層ＬＱに電圧が印加されたオン状態について説明する。オン状態は、画素電極ＰＥと共通電極ＣＥとの間に電位差が形成された状態に相当する。つまり、共通電極ＣＥにコモン駆動信号が供給され、これにより共通電極ＣＥがコモン電位に設定される。また、画素電極ＰＥにコモン電位に対して電位差を形成するような映像信号が供給される。これらにより、オン状態では、画素電極ＰＥと共通電極ＣＥとの間にフリンジ電界が形成される。このようなオン状態では、液晶分子は、Ｘ−Ｙ平面内において、初期配向方向とは異なる方位に配向する。オン状態では、第１光学素子ＯＤ１の偏光板の吸収軸と直交する直線偏光は、液晶表示パネルＰＮＬに入射し、その偏光状態は、液晶層ＬＱを通過する際に液晶分子の配向状態に応じて変化する。このため、オン状態においては、液晶層ＬＱを通過した少なくとも一部の光は、第２光学素子ＯＤ２の偏光板を透過する（白表示）。このような構成により、ノーマリーブラックモードが実現される。
【００３３】
なお、分割電極Ｃの個数やサイズ、形状は特に限定されるものではなく種々変更可能である。また、共通電極ＣＥは、Ｙ方向に間隔を置いて並び、Ｘ方向に略直線的に延出していてもよい。さらには、共通電極ＣＥは、分割されることなく、表示領域ＤＡにおいて連続的に形成された単個の平板電極であってもよい。
【００３４】
検出電極Ｒｘが配置される検出面内において、隣接する検出電極Ｒｘの間には、ダミー電極ＤＲが配置されている。ダミー電極ＤＲは、検出電極Ｒｘと同じく、Ｘ方向に略直的に延びる。このようなダミー電極ＤＲは、リード線Ｌなどの配線には接続されず、電気的にフローティング状態にある。ダミー電極ＤＲは、物体の接触あるいは接近の検出には寄与しない。そのため、ダミー電極ＤＲは、物体を検出するとの観点からは設けなくもよい。しかし、ダミー電極ＤＲを設けないと、液晶表示パネルＰＮＬの画面が光学的に不均一となる恐れがある。そのため、ダミー電極ＤＲを設けることが好ましい。
【００３５】
リード線Ｌは、非表示領域ＮＤＡに配置され、検出電極Ｒｘと一対一で電気的に接続されている。リード線Ｌの各々は、検出電極Ｒｘからのセンサ出力値を出力する。リード線Ｌは、例えば、検出電極Ｒｘと同様に、第２基板ＳＵＢ２に配置されている。
液晶表示装置ＤＳＰは、さらに、非表示領域ＮＤＡに配置された共通電極駆動回路ＣＤを備える。分割電極Ｃのそれぞれは、共通電極駆動回路ＣＤに電気的に接続されている。共通電極駆動回路ＣＤは、分割電極Ｃに対して、各副画素ＳＰＸを駆動するためのコモン駆動信号（第１駆動信号）、及び、センサＳＥを駆動するためのセンサ駆動信号（第２駆動信号）を選択的に供給する。例えば共通電極駆動回路ＣＤは、表示領域ＤＡに画像を表示する表示駆動時にコモン駆動信号を供給し、検出面への物体の近接又は接触を検出するセンシング駆動時にセンサ駆動信号を供給する。
【００３６】
フレキシブル配線基板ＦＰＣ２は、リード線Ｌの各々と電気的に接続されている。検出回路ＲＣは、例えば、駆動ＩＣチップＩＣ２に内蔵されている。この検出回路ＲＣは、検出電極Ｒｘからのセンサ出力値に基づいて、液晶表示装置ＤＳＰへの物体の接触あるいは接近を検出する。さらに、検出回路ＲＣは、物体が接触あるいは接近した箇所の位置情報を検出することも可能である。なお、検出回路ＲＣは、制御モジュールＣＭに備えられていてもよい。
【００３７】
次に、液晶表示装置ＤＳＰが物体の接触あるいは接近を検出する動作について、図６を参照しながら説明する。分割電極Ｃと検出電極Ｒｘとの間には、容量Ｃｃが存在する。共通電極駆動回路ＣＤは、分割電極Ｃの各々に所定の周期でパルス状のセンサ駆動信号Ｖｗを供給する。図６の例では、利用者の指が特定の検出電極Ｒｘと分割電極Ｃとが交差する位置に近接して存在するものとする。検出電極Ｒｘに近接している利用者の指により、容量Ｃｘが生じる。分割電極Ｃにパルス状のセンサ駆動信号Ｖｗが供給されたときに、特定の検出電極Ｒｘからは、他の検出電極から得られるパルスよりもレベルの低いパルス状のセンサ出力値Ｖｒが得られる。このセンサ出力値Ｖｒは、リード線Ｌを介して検出回路ＲＣに供給される。
【００３８】
検出回路ＲＣは、センサ駆動信号Ｖｗが分割電極Ｃに供給されるタイミングと、各検出電極Ｒｘからのセンサ出力値Ｖｒとに基づいて、Ｘ−Ｙ平面（検出面）内での指の２次元位置情報を検出する。また、容量Ｃｘは、指が検出電極Ｒｘに近い場合と、遠い場合とで異なる。このため、センサ出力値Ｖｒのレベルも指が検出電極Ｒｘに近い場合と、遠い場合とで異なる。したがって、検出回路ＲＣは、センサ出力値Ｖｒのレベルに基づいて、センサＳＥに対する指の近接度（センサＳＥの法線方向の距離）を検出することもできる。
【００３９】
以上説明したセンサＳＥの検出方式は、例えば、相互容量方式、又は、ミューチャル検出（Mutual-Capacitive Sensing）方式などと呼ばれる。センサＳＥの検出方式は、このミューチャル検出方式に限られず、他の方式であってもよい。例えば、センサＳＥは、以下に説明する検出方式を適用することもできる。この検出方式は、例えば、自己容量方式、又は、セルフ検出（Self-Capacitive Sensing）方式などと呼ばれる。
【００４０】
図７及び図８は、セルフ検出方式において、液晶表示装置ＤＳＰが物体の接触あるいは接近を検出する動作を説明するための図である。図７及び図８に示す検出電極Ｒｘは、島状に形成され、表示領域ＤＡにおいてＸ方向及びＹ方向にマトリクス状に配列されている。リード線Ｌの一端は、検出電極Ｒｘと一対一で電気的に接続されている。リード線Ｌの他端は、例えば図５に示した例と同じく、検出回路ＲＣが内蔵された駆動ＩＣチップＩＣ２を備えるフレキシブル配線基板ＦＰＣ２に接続されている。図７及び図８の例では、利用者の指が特定の検出電極Ｒｘに近接して存在するものとする。検出電極Ｒｘに近接している利用者の指により、容量Ｃｘが生じる。
【００４１】
図７に示すように、検出回路ＲＣは、検出電極Ｒｘの各々に所定の周期でパルス状のセンサ駆動信号Ｖｗ（駆動電圧）を供給する。このセンサ駆動信号Ｖｗにより、検出電極Ｒｘ自体が有する容量が充電される。
センサ駆動信号Ｖｗを供給した後、図８に示すように、検出回路ＲＣは、検出電極Ｒｘの各々からセンサ出力値Ｖｒを読み取る。このセンサ出力値Ｖｒは、例えば、検出電極Ｒｘ自体の容量に蓄えられた電荷量に相当する。このようなセンサ出力値Ｖｒは、Ｘ−Ｙ平面（検出面）内に配列された各検出電極Ｒｘのうち、指との間の容量Ｃｘが発生している検出電極Ｒｘと、その他の検出電極Ｒｘとで異なる値となる。したがって、検出回路ＲＣは、各検出電極Ｒｘのセンサ出力値Ｖｒに基づいて、Ｘ−Ｙ平面内での指の２次元位置情報を検出することができる。
【００４２】
セルフ検出方式におけるセンサＳＥの駆動方法の具体例につき、図９を用いて説明する。この図の例においては、１フレーム（１Ｆ）期間のうちの表示動作期間Ｐｄに行われる表示動作と、表示動作期間Ｐｄから外れた検出動作期間Ｐｓに行われる入力位置情報の検出動作と、が繰り返し行われる。検出動作期間Ｐｓは、例えば表示動作が休止されるブランキング期間である。
【００４３】
表示動作期間Ｐｄにおいては、ゲート線駆動回路ＧＤがゲート線Ｇに制御信号を供給し、ソース線駆動回路ＳＤがソース線Ｓに映像信号Ｖｓｉｇを供給し、共通電極駆動回路ＣＤが共通電極ＣＥ（分割電極Ｃ）にコモン駆動信号Ｖｃｏｍ（コモン電圧）を供給して、液晶表示パネルＰＮＬが駆動される。
【００４４】
検出動作期間Ｐｓには、液晶表示パネルＰＮＬへの制御信号、映像信号Ｖｓｉｇ及びコモン駆動信号Ｖｃｏｍの入力が休止され、センサＳＥが駆動される。センサＳＥを駆動する際、検出回路ＲＣが検出電極Ｒｘにセンサ駆動信号Ｖｗを供給し、検出電極Ｒｘに生じた静電容量の変化を示すセンサ出力値Ｖｒを読取り、センサ出力値Ｖｒに基づいて入力位置情報を演算する。この検出動作期間Ｐｓにおいて、共通電極駆動回路ＣＤは、検出電極Ｒｘに供給するセンサ駆動信号Ｖｗと同一波形を有する電位調整信号Ｖａをセンサ駆動信号Ｖｗと同期して共通電極ＣＥに供給している。ここで、上記同一波形とは、センサ駆動信号Ｖｗと電位調整信号Ｖａとが、位相、振幅及び周期に関して同一であることを言う。このような電位調整信号Ｖａを共通電極ＣＥに供給することで、検出電極Ｒｘと共通電極ＣＥとの間の浮遊容量（寄生容量）が除去され、正確な入力位置情報の演算が可能となる。
【００４５】
図１０は、マトリクス状に配列された検出電極Ｒｘの一例を概略的に示す図である。この図の例においては、検出電極Ｒｘ１，Ｒｘ２，Ｒｘ３がＹ方向に並んでいる。検出電極Ｒｘ１は、リード線Ｌ１を介してパッドＰＤ１と接続されている。検出電極Ｒｘ２は、リード線Ｌ２を介してパッドＰＤ２と接続されている。検出電極Ｒｘ３は、パッドＰＤ３に直に接続されている。パッドＰＤ１〜ＰＤ３は、フレキシブル配線基板ＦＰＣ２に接続されている。検出電極Ｒｘ１〜Ｒｘ３は、例えば、金属材料によって形成された細線片（後述する細線片Ｔ）をメッシュ状に接続して構成されている。但し、検出電極Ｒｘ１〜Ｒｘ３は、図１０に示す構成に限定されるものではなく、後述する各実施例に示す構成など種々の構成を適用できる。
【００４６】
検出電極Ｒｘ１〜Ｒｘ３、リード線Ｌ１，Ｌ２、及びパッドＰＤ１〜ＰＤ３は、Ｘ方向に一定の間隔を空けて繰り返し配置されている。Ｘ方向に隣り合う検出電極Ｒｘ１〜Ｒｘ３と検出電極Ｒｘ１〜Ｒｘ３との間には、ダミー電極ＤＲが配置されている。ダミー電極ＤＲは、例えば、検出電極Ｒｘ１〜Ｒｘ３と同じく、金属材料によって形成された細線片により構成されている。図１０の例において、ダミー電極ＤＲを構成する細線片は、検出電極Ｒｘ１〜Ｒｘ３と同様のメッシュ状に配置されている。但し、ダミー電極ＤＲを構成する細線片は互いに接続されておらず、かつ検出電極Ｒｘ１〜Ｒｘ３、リード線Ｌ１，Ｌ２、及びパッドＰＤ１〜ＰＤ３などにも接続されておらず、電気的にフローティング状態にある。このように、検出電極Ｒｘと類似の形状を有するダミー電極ＤＲを配置することにより、液晶表示パネルＰＮＬの画面を光学的に均一に保つことができる。
【００４７】
続いて、検出電極Ｒｘの詳細な構造について説明する。なお、以下に説明する検出電極Ｒｘの構造は、上述したミューチャル検出方式及びセルフ検出方式などの検出方式によらず適用可能である。
検出電極Ｒｘは、導電性材料によって形成された細線片（後述する細線片Ｔ）を組み合わせて構成される電極パターン（後述する電極パターンＰＴ）を有する。細線片の材料としては、例えばアルミニウム（Ａｌ）、チタン（Ｔｉ）、銀（Ａｇ）、モリブデン（Ｍｏ）、タングステン（Ｗ）、銅（Ｃｕ）、クロム（Ｃｒ）、或いはこれらを含む合金、酸化物、窒化物などの金属材料を用いることができる。細線片の幅は、各画素の透過率を著しく低下させず、且つ断線しにくい程度に定めることが好ましい。一例として、細線片の幅は、３μｍ以上かつ１０μｍ以下の範囲内で定める。
【００４８】
表示領域ＤＡにおける画素配列及び検出電極Ｒｘの電極パターンの一態様について説明する。図１１及び図１２は、表示領域ＤＡに配置された単位画素ＰＸの一部と、検出電極Ｒｘの電極パターンＰＴの一部とを示す模式図である。
図１１及び図１２において、単位画素ＰＸは、Ｘ方向及びＹ方向に沿ってマトリクス状に並ぶ。図１１における各単位画素ＰＸは、赤色、緑色、青色の副画素ＳＰＸＲ，ＳＰＸＧ，ＳＰＸＢにて構成されている。赤色、緑色、青色の副画素ＳＰＸＲ，ＳＰＸＧ，ＳＰＸＢは、いずれもＹ方向に沿って並ぶ。一方、図１２における各単位画素ＰＸは、赤色、緑色、青色、白色の副画素ＳＰＸＲ，ＳＰＸＧ，ＳＰＸＢ，ＳＰＸＷにて構成されている。赤色、緑色、青色、白色の副画素ＳＰＸＲ，ＳＰＸＧ，ＳＰＸＢ，ＳＰＸＷは、いずれもＹ方向に沿って並ぶ。
【００４９】
本実施形態における電極パターンＰＴは、図１３に示す単位パターンＵ１を複数含む。この単位パターンＵ１は、第１延出方向ＤＴ１に沿って直線状に延びる細線片Ｔａ（Ｔａ１，Ｔａ２，Ｔａ３，Ｔａ４）と、第１延出方向ＤＴ１と交わる第２延出方向ＤＴ２に沿って直線状に延びる細線片Ｔｂ（Ｔｂ１，Ｔｂ２）とによって閉じられた輪郭のパターンである。図示した例においては、第１延出方向ＤＴ１から第２延出方向ＤＴ２までの反時計回りの角度が鋭角であり、単位パターンＵ１が平行四辺形である。但し、第１延出方向ＤＴ１及び第２延出方向ＤＴ２が成す上記角度は鈍角であってもよいし、直角であってもよい。
【００５０】
図１１及び図１２に示す例において、電極パターンＰＴは、Ｘ方向及びＹ方向のそれぞれと交わる第１配列方向ＤＵ１及び第２配列方向ＤＵ２に沿って単位パターンＵ１を配列して構成される。但し、第１延出方向ＤＵ１及び第２延出方向ＤＵ２のいずれか一方がＸ方向及びＹ方向のいずれか一方と一致してもよいし、第１延出方向ＤＵ１及び第２延出方向ＤＵ２がそれぞれＸ方向及びＹ方向と一致してもよい。
【００５１】
電極パターンＰＴにおいて、隣り合う２つの単位パターンＵ１の輪郭は、１本の細線片Ｔを共用して形成されている。例えば第１配列方向ＤＵ１に連続する２つの単位パターンＵ１においては、その境界に配置される１本の細線片Ｔａが、一方の単位パターンＵ１では細線片Ｔａ２として用いられ、他方の単位パターンＵ１では細線片Ｔａ３として用いられることで、これら単位パターンＵ１の輪郭が形成されている。また、第２配列方向ＤＵ２に連続する２つの単位パターンＵ１においては、その境界に配置される１本の細線片Ｔａが、一方の単位パターンＵ１では細線片Ｔａ１として用いられ、他方の単位パターンＵ１では細線片Ｔａ４として用いられることで、これら単位パターンＵ１の輪郭が形成されている。
【００５２】
電極パターンＰＴは、３本の細線片Ｔの端部が接続される接続点を多数含む。例えば図１１及び図１２に示すように、隣り合う単位パターンＵ１同士が共有する細線片Ｔａ又は細線片Ｔｂの両端部にそれぞれ形成される接続点ＣＰ１においては、２本の細線片Ｔａと、１本の細線片Ｔｂとが接続されている。  
接続点ＣＰ１においては、２本の細線片Ｔａが直線状に接続され、１本の細線片Ｔｂがこれら細線片Ｔａと１８０°を除く角度で接続される。したがって、接続点ＣＰ１は、これら３本の細線片Ｔが略Ｔ字型に分岐する形状を成す。
【００５３】
図１１及び図１２に示す接続点ＣＰ１は、３つの単位パターンＵ１の輪郭が接する位置でもある。すなわち、接続点ＣＰ１は、３つの単位パターンＵ１のそれぞれに含まれる３本の細線片Ｔ（２本の細線片Ｔａと１本の細線片Ｔｂ）の端部が接続されることで形成されている。
【００５４】
図１１及び図１２に示す電極パターンＰＴは、接続点ＣＰ１のように細線片Ｔが３方に分岐する接続点の他に、細線片Ｔが２方に分岐する接続点ＣＰ２を含む。この接続点ＣＰ２は、複数の単位パターンＵ１で共有されない細線片Ｔａ又は細線片Ｔｂの一方の端部に現れるものであって、１本の細線片Ｔａと１本の細線片Ｔｂとの端部同士が接続される接続点である。なお、本実施形態における電極パターンＰＴは、４本以上の細線片Ｔが接続される接続点を含んでいない。
【００５５】
なお、図１１及び図１２は、電極パターンＰＴの説明のために、表示領域ＤＡの一部と、１つの検出電極Ｒｘの電極パターンＰＴの一部とを模式的に示したものである。実際には、図５、図７、図８及び図１０に示したように、これらの電極パターンＰＴを含む検出電極Ｒｘが表示領域ＤＡに重ねて複数配置され、表示領域ＤＡのいずれの位置においても指などの接触或いは近接が検出可能である。また、図１１及び図１２では図示を省略しているが、隣り合う検出電極Ｒｘの間には、図５及び図１０に示したようにダミー電極ＤＲが配置される。
例えば、図５に示すように複数の検出電極ＲｘがＸ方向に延出しかつＹ方向に並ぶ場合、これらの検出電極Ｒｘとしては、図１１及び図１２に示した電極パターンＰＴをＸ方向に沿って帯状に切断したものを用いることができる。同様に、複数の検出電極ＲｘがＹ方向に延出しかつＸ方向に並ぶ場合、これらの検出電極Ｒｘとしては、図１１及び図１２に示した電極パターンＰＴをＹ方向に沿って帯状に切断したものを用いることができる。これらの場合、図１１及び図１２に示した接続点ＣＰ２が生じないように電極パターンＰＴを切断してもよい。
また、図７等に示すように複数の検出電極Ｒｘが島状に形成される場合、これらの検出電極Ｒｘとしては、図１１及び図１２に示した電極パターンＰＴをＸ方向及びＹ方向に沿って切断したものを用いることができる。この場合、図１１及び図１２に示した接続点ＣＰ２が生じないように電極パターンＰＴを切断してもよい。
【００５６】
例えば、細線片Ｔを透光性が低い金属材料にて形成する場合には、細線片Ｔの配置位置において表示領域ＤＡからの光が遮られる。特に、複数の細線片Ｔが接続される接続点においては、細線片Ｔが密に存在するために多くの光が遮られる。
従来、直線状に延びる複数の導電細線を交差させたメッシュ状の電極パターンがある。この電極パターンにおいては、２本の導電細線が交わる４方分岐の交点（４本の細線片の接続点ということもできる）が、各導電細線上で直線状に形成される。このような４方分岐の交点においては、導電細線が密に存在することになる。したがって、表示領域には直線状に並ぶ４方分岐の交点群に対応した明暗模様が生じ、この明暗模様と各副画素との干渉に起因して、視認性の高いモアレが生じ易い。
これに対し、本実施形態における電極パターンＰＴのように、細線片Ｔが３方に分岐する接続点は、上記の４方分岐の交点に比べて単位面積当たりに含まれる細線片Ｔ（導電細線）の割合が低くなる。したがって、この接続点により生じる明暗模様と各副画素ＳＰＸとの干渉によりモアレが生じたとしても、このモアレは上記の４方分岐の交点群に起因したモアレよりも視認しにくいものとなる。
【００５７】
また、本実施形態のように、細線片Ｔにて閉じられた単位パターンＵ１により電極パターンＰＴが構成され、かつ隣り合う単位パターンＵ１が少なくとも１つの細線片Ｔを共用している場合には、検出電極Ｒｘの断線が生じにくくなる。すなわち、このような電極パターンＰＴにおいては、隣り合う単位パターンＵ１のいずれか１箇所が断線したとしても、他のルートによりこの断線箇所に隣接する細線片Ｔの電気的な接続を維持することができる。したがって、本実施形態によれば、液晶表示装置ＤＳＰのセンシングに関する信頼性を向上させることができる。
【００５８】
また、本実施形態においては、センサＳＥを構成する検出電極Ｒｘとセンサ駆動電極（共通電極ＣＥ）とを、誘電体を挟んで異なる層に設けている。仮に、検出電極Ｒｘとセンサ駆動電極とを同一の層に設けた場合には、これら検出電極Ｒｘとセンサ駆動電極との間で電蝕が生じる恐れがある。これに対し、本実施形態の構成においてはそのような電蝕の発生を防ぐことができる。
【００５９】
また、本実施形態において、上述したミューチャル検出方式などのように、液晶表示パネルＰＮＬの内部に設けられた共通電極ＣＥを表示用の電極として利用するとともにセンサ駆動電極としても利用する場合には、センシング専用のセンサ駆動電極を別途に液晶表示装置ＤＳＰに設ける必要がない。仮に、センシング専用のセンサ駆動電極を設けた場合には、このセンサ駆動電極と検出電極Ｒｘ或いは表示領域ＤＡとの干渉によりモアレが発生する恐れがある。これに対し、本実施形態においてはそのようなモアレの発生を防ぐことができる。さらに、本実施形態においては、共通電極ＣＥが透明な導電性材料によって形成されているために、共通電極ＣＥと表示領域ＤＡ或いは検出電極Ｒｘとの干渉に起因したモアレの発生を防止ないしは低減できる。  
【００６０】
これらの他にも、本実施形態からは種々の好適な作用が得られる。  
なお、電極パターンＰＴの形状は、図１１及び図１２に示したものに限られない。以下に、電極パターンＰＴに関する他の実施形態を示す。特に説明しない構成については、第１実施形態と同様である。
【００６１】
（第２実施形態）
図１４は、第２実施形態に係る電極パターンＰＴの一部を示す模式図である。本実施形態に係る電極パターンＰＴは、図１４の左方に示す単位パターンＵ２ａ，Ｕ２ｂを組み合わせて構成される。具体的には、電極パターンＰＴは、第１配列方向ＤＵ１に沿って並ぶ複数の単位パターンＵ２ａと、この第１配列方向ＤＵ１に沿って並ぶ複数の単位パターンＵ２ｂとを、第２配列方向ＤＵ２に沿って交互に配置したパターンである。単位パターンＵ２ａは、細線片Ｔａ１，Ｔａ２，Ｔａ３，Ｔａ４，Ｔｂ１，Ｔｂ２で閉じられた平行四辺形のパターンである。単位パターンＵ２ｂは、細線片Ｔａ５，Ｔａ６，Ｔｂ３，Ｔｂ４，Ｔｂ５，Ｔｂ６で閉じられた平行四辺形のパターンである。単位パターンＵ２ａと単位パターンＵ２ｂは、第１配列方向ＤＵ１に沿う軸、及び、第２配列方向ＤＵ２に沿う軸に関して線対称の形状である。
【００６２】
電極パターンＰＴにおいて、隣り合う２つの単位パターンＵ２ａ、隣り合う２つの単位パターンＵ２ｂ、及び、隣り合う単位パターンＵ２ａ，Ｕ２ｂの輪郭は、１つの細線片Ｔを共用して形成されている。例えば第１配列方向ＤＵ１に連続する２つの単位パターンＵ２ａにおいては、その境界に配置される１本の細線片Ｔａが、一方の単位パターンＵ２ａでは細線片Ｔａ２として用いられ、他方の単位パターンＵ２ａでは細線片Ｔａ３として用いられることで、これら単位パターンＵ２ａの輪郭が形成されている。
また、例えば第１配列方向ＤＵ１に連続する２つの単位パターンＵ２ｂにおいては、その境界に配置される１本の細線片Ｔｂが、一方の単位パターンＵ２ｂでは細線片Ｔｂ４として用いられ、他方の単位パターンＵ２ｂでは細線片Ｔｂ５として用いられることで、これら単位パターンＵ２ｂの輪郭が形成されている。
【００６３】
単位パターンＵ２ａは、４つの単位パターンＵ２ｂと隣り合う。単位パターンＵ２ａの輪郭は、これら４つの単位パターンＵ２ｂの輪郭と細線片Ｔａ１，Ｔａ４，Ｔｂ１，Ｔｂ２を共用して形成されている。
また、単位パターンＵ２ｂは、４つの単位パターンＵ２ａと隣り合う。単位パターンＵ２ｂの輪郭は、これら４つの単位パターンＵ２ａの輪郭と細線片Ｔａ５，Ｔａ６，Ｔｂ３，Ｔｂ６を共用して形成されている。
【００６４】
電極パターンＰＴは、３本の細線片Ｔの端部が接続される接続点を多数含む。例えば図１４に示すように、隣り合う２つの単位パターンＵ２ａ、隣り合う２つの単位パターンＵ２ｂ、及び、隣り合う単位パターンＵ２ａ，Ｕ２ｂが共有する細線片Ｔａ，Ｔｂの両端部には、２本の細線片Ｔａと１本の細線片Ｔｂとが接続される接続点ＣＰ１ａ、及び、１本の細線片Ｔａと２本の細線片Ｔｂとが接続される接続点ＣＰ１ｂが形成されている。
接続点ＣＰ１ａ，ＣＰ１ｂにおいては、２本の細線片Ｔが直線状に接続されるとともに、１本の細線片Ｔがこれら２本の細線片Ｔと１８０°を除く角度で接続される。したがって、接続点ＣＰ１ａ，ＣＰ１ｂは、３本の細線片Ｔが略Ｔ字型に分岐する形状を成す。
【００６５】
例えば、接続点ＣＰ１ａの１つは、単位パターンＵ２ａの細線片Ｔａ２及び単位パターンＵ２ｂの細線片Ｔａ５である２本の細線片Ｔａと、単位パターンＵ２ａの細線片Ｔｂ２であり単位パターンＵ２ｂの細線片Ｔｂ３である１本の細線片Ｔｂと、が接続される接続点である。
例えば、接続点ＣＰ１ｂの１つは、単位パターンＵ２ａの細線片Ｔａ４であり単位パターンＵ２ｂの細線片Ｔａ５である１本の細線片Ｔａと、単位パターンＵ２ａの細線片Ｔｂ２及び単位パターンＵ２ｂの細線片Ｔｂ５である２本の細線片Ｔｂと、が接続される接続点である。
【００６６】
図１４に示す接続点ＣＰ１ａ，ＣＰ１ｂは、２つの単位パターンＵ２ａと１つの単位パターンＵ２ｂ、或いは１つの単位パターンＵ２ａと２つの単位パターンＵ２ｂが接する位置でもある。
【００６７】
なお、図１４においては、電極パターンＰＴの一部として３本の細線片Ｔが接続される接続点のみを含むパターンを図示しているが、電極パターンＰＴは３以外の本数の細線片Ｔが接続される接続点を含んでもよい。例えば、図１１及び図１２の例と同じく、電極パターンＰＴの端部において複数の単位パターンＵ２ａ，Ｕ２ｂで共有されない細線片Ｔａ，Ｔｂの端部には、１本の細線片Ｔａと１本の細線片Ｔｂが接続された２方分岐の接続点が生じ得る。  
また、図１４の例では、細線片Ｔａ，Ｔｂが鋭角又は鈍角にて接続される場合を示しているが、細線片Ｔａ，Ｔｂが直角にて接続されてもよい。
【００６８】
（第３実施形態）
図１５は、第３実施形態に係る電極パターンＰＴの一部を示す模式図である。本実施形態に係る電極パターンＰＴは、図１５の左方に示す単位パターンＵ３ａ，Ｕ３ｂを組み合わせて構成される。具体的には、電極パターンＰＴは、第１配列方向ＤＵ１に沿って並ぶ複数の単位パターンＵ３ａと、この第１配列方向ＤＵ１に沿って並ぶ複数の単位パターンＵ３ｂとを、第２配列方向ＤＵ２に沿って交互に配置したパターンである。単位パターンＵ３ａは、細線片Ｔａ１，Ｔａ２，Ｔａ３，Ｔａ４，Ｔｂ１，Ｔｂ２，Ｔｂ３，Ｔｂ４で閉じられた６角形のパターンである。単位パターンＵ３ｂは、細線片Ｔａ５，Ｔａ６，Ｔａ７，Ｔａ８，Ｔｂ５，Ｔｂ６，Ｔｂ７，Ｔｂ８で閉じられた６角形のパターンである。単位パターンＵ３ａと単位パターンＵ３ｂは、所定の軸に関して線対称の形状である。単位パターンＵ３ａにおいて細線片Ｔａ３，Ｔｂ２が構成する内角θ１、及び、単位パターンＵ３ｂにおいて細線片Ｔａ６，Ｔｂ７が構成する内角θ２は、いずれも１８０°より大きい（θ１，θ２＞１８０°）。
【００６９】
電極パターンＰＴにおいて、隣り合う２つの単位パターンＵ３ａ、隣り合う２つの単位パターンＵ３ｂ、及び、隣り合う単位パターンＵ３ａ，Ｕ３ｂの輪郭は、少なくとも１つの細線片Ｔを共用して形成されている。例えば第１配列方向ＤＵ１に連続する２つの単位パターンＵ３ａにおいては、その境界に配置される１本の細線片Ｔａが、一方の単位パターンＵ３ａでは細線片Ｔａ２として用いられ、他方の単位パターンＵ３ａでは細線片Ｔａ４として用いられることで、これら単位パターンＵ３ａの輪郭が形成されている。
また、例えば第１配列方向ＤＵ１に連続する２つの単位パターンＵ３ｂにおいては、その境界に配置される１本の細線片Ｔａが、一方の単位パターンＵ３ｂでは細線片Ｔａ５として用いられ、他方の単位パターンＵ３ｂでは細線片Ｔａ７として用いられることで、これら単位パターンＵ３ｂの輪郭が形成されている。
【００７０】
単位パターンＵ３ａは、４つの単位パターンＵ３ｂと隣り合う。単位パターンＵ３ａの輪郭は、これら４つの単位パターンＵ３ｂの輪郭と細線片Ｔａ１，Ｔａ３，Ｔｂ１，Ｔｂ２，Ｔｂ３，Ｔｂ４を共用して形成されている。
また、単位パターンＵ３ｂは、４つの単位パターンＵ３ａと隣り合う。単位パターンＵ３ｂの輪郭は、これら４つの単位パターンＵ３ａの輪郭と細線片Ｔａ６，Ｔａ８，Ｔｂ５，Ｔｂ６，Ｔｂ７，Ｔｂ８を共用して形成されている。
【００７１】
電極パターンＰＴは、３本の細線片Ｔの端部が接続される接続点を多数含む。例えば図１５に示すように、隣り合う２つの単位パターンＵ３ａ、隣り合う２つの単位パターンＵ３ｂ、及び、隣り合う単位パターンＵ３ａ，Ｕ３ｂが共有する細線片Ｔａ，Ｔｂの端部には、２本の細線片Ｔａと１本の細線片Ｔｂとが接続される接続点ＣＰ１ａ、及び、１本の細線片Ｔａと２本の細線片Ｔｂとが接続される接続点ＣＰ１ｂが形成されている。
接続点ＣＰ１ａ，ＣＰ１ｂにおいては、２本の細線片Ｔが直線状に接続されるとともに、１本の細線片Ｔがこれら２本の細線片Ｔと１８０°を除く角度で接続される。したがって、接続点ＣＰ１ａ，ＣＰ１ｂは、３本の細線片Ｔが略Ｔ字型に分岐する形状を成す。
【００７２】
例えば、接続点ＣＰ１ａの１つは、単位パターンＵ３ａの細線片Ｔａ１及び単位パターンＵ３ｂの細線片Ｔａ５である２本の細線片Ｔａと、単位パターンＵ３ａの細線片Ｔｂ１であり単位パターンＵ３ｂの細線片Ｔｂ７である１本の細線片Ｔｂと、が接続される接続点である。
例えば、接続点ＣＰ１ｂの１つは、単位パターンＵ３ｂの細線片Ｔａ５である１本の細線片Ｔａと、単位パターンＵ３ａの細線片Ｔｂ３及び単位パターンＵ３ａの細線片Ｔｂ４（かつ単位パターンＵ３ｂの細線片Ｔｂ５）である２本の細線片Ｔｂと、が接続される接続点である。
【００７３】
図１５に示す接続点ＣＰ１ａ，ＣＰ１ｂは、２つの単位パターンＵ３ａと１つの単位パターンＵ３ｂ、或いは１つの単位パターンＵ３ａと２つの単位パターンＵ３ｂが接する位置でもある。
【００７４】
なお、本実施形態における電極パターンＰＴは、図１５に一例を示すように、１本の細線片Ｔａと１本の細線片Ｔｂが接続される２方分岐の接続点ＣＰ２を含む。例えば、接続点ＣＰ２の１つは、単位パターンＵ３ａの細線片Ｔａ３及び細線片Ｔｂ１の端部同士が接続される接続点である。
また、図１１及び図１２の例と同じく、電極パターンＰＴの端部において複数の単位パターンＵ３ａ，Ｕ３ｂで共有されない細線片Ｔａ，Ｔｂの端部には、１本の細線片Ｔａと１本の細線片Ｔｂが接続された２方分岐の接続点が生じ得る。  
また、図１５の例では、細線片Ｔａ，Ｔｂが鋭角又は鈍角にて接続される場合を示しているが、細線片Ｔａ，Ｔｂが直角にて接続されてもよい。
【００７５】
（第４実施形態）
図１６は、第４実施形態に係る電極パターンＰＴの一部を示す模式図である。本実施形態に係る電極パターンＰＴは、図１６の左方に示す単位パターンＵ４ａ，Ｕ４ｂを組み合わせて構成される。具体的には、電極パターンＰＴは、第１配列方向ＤＵ１に沿って並ぶ複数の単位パターンＵ４ａと、この第１配列方向ＤＵ１に沿って並ぶ複数の単位パターンＵ４ｂとを、第２配列方向ＤＵ２に沿って交互に配置したパターンである。単位パターンＵ４ａは、細線片Ｔａ１，Ｔａ２，Ｔａ３，Ｔａ４，Ｔａ５，Ｔａ６，Ｔｂ１，Ｔｂ２，Ｔｂ３，Ｔｂ４で閉じられた６角形のパターンである。単位パターンＵ４ｂは、細線片Ｔａ７，Ｔａ８，Ｔａ９，Ｔａ１０，Ｔｂ５，Ｔｂ６，Ｔｂ７，Ｔｂ８，Ｔｂ９，Ｔｂ１０で閉じられた６角形のパターンである。単位パターンＵ４ａ，Ｕ４ｂは、第１配列方向ＤＵ１に沿う軸に関して線対称の形状である。単位パターンＵ４ａにおいて細線片Ｔａ２，Ｔｂ３が構成する内角θ１、及び、単位パターンＵ４ｂにおいて細線片Ｔａ９，Ｔｂ６が構成する内角θ２は、いずれも１８０°より大きい（θ１，θ２＞１８０°）。
【００７６】
電極パターンＰＴにおいて、隣り合う２つの単位パターンＵ４ａ、隣り合う２つの単位パターンＵ４ｂ、及び、隣り合う単位パターンＵ４ａと単位パターンＵ４ｂの輪郭は、少なくとも１つの細線片Ｔを共用して形成されている。例えば第１配列方向ＤＵ１に連続する２つの単位パターンＵ４ａにおいては、その境界に配置される１本の細線片Ｔａが、一方の単位パターンＵ４ａでは細線片Ｔａ１として用いられ、他方の単位パターンＵ４ａでは細線片Ｔａ６として用いられることで、これら単位パターンＵ４ａの輪郭が形成されている。
また、例えば第１配列方向ＤＵ１に連続する２つの単位パターンＵ４ｂにおいては、その境界に配置される１本の細線片Ｔｂが、一方の単位パターンＵ４ｂでは細線片Ｔｂ５として用いられ、他方の単位パターンＵ４ｂでは細線片Ｔｂ１０として用いられることで、これら単位パターンＵ４ｂの輪郭が形成されている。
【００７７】
単位パターンＵ４ａは、４つの単位パターンＵ４ｂと隣り合う。単位パターンＵ４ａの輪郭は、これら４つの単位パターンＵ４ｂの輪郭と細線片Ｔａ２，Ｔａ３，Ｔａ４，Ｔａ５，Ｔｂ１，Ｔｂ２，Ｔｂ３，Ｔｂ４を共用して形成されている。
また、単位パターンＵ４ｂは、４つの単位パターンＵ４ａと隣り合う。単位パターンＵ４ｂの輪郭は、これら４つの単位パターンＵ４ａの輪郭と細線片Ｔａ７，Ｔａ８，Ｔａ９，Ｔａ１０，Ｔｂ６，Ｔｂ７，Ｔｂ８，Ｔｂ９を共用して形成されている。
【００７８】
電極パターンＰＴは、３本の細線片Ｔの端部が接続される接続点を多数含む。例えば図１６に示すように、隣り合う２つの単位パターンＵ４ａ、隣り合う２つの単位パターンＵ４ｂ、及び、隣り合う単位パターンＵ４ａ，Ｕ４ｂが共有する細線片Ｔａ，Ｔｂの端部には、２本の細線片Ｔａと１本の細線片Ｔｂとが接続される接続点ＣＰ１ａ、及び、１本の細線片Ｔａと２本の細線片Ｔｂとが接続される接続点ＣＰ１ｂが形成されている。
接続点ＣＰ１ａ，ＣＰ１ｂにおいては、２本の細線片Ｔが直線状に接続されるとともに、１本の細線片Ｔがこれら２本の細線片Ｔと１８０°を除く角度で接続される。したがって、接続点ＣＰ１ａ，ＣＰ１ｂは、３本の細線片Ｔが略Ｔ字型に分岐する形状を成す。
【００７９】
例えば、接続点ＣＰ１ａの１つは、単位パターンＵ４ａの細線片Ｔａ５（かつ単位パターンＵ４ｂの細線片Ｔａ８）及び単位パターンＵ４ａの細線片Ｔａ６である２本の細線片Ｔａと、単位パターンＵ４ｂの細線片Ｔｂ８である１本の細線片Ｔｂと、が接続される接続点である。
例えば、接続点ＣＰ１ｂの１つは、単位パターンＵ４ａの細線片Ｔａ４であり単位パターンＵ４ｂの細線片Ｔａ７である１本の細線片Ｔａと、単位パターンＵ４ａの細線片Ｔｂ２及び単位パターンＵ４ａの細線片Ｔｂ５である２本の細線片Ｔｂと、が接続される接続点である。
【００８０】
図１６に示す接続点ＣＰ１ａ，ＣＰ１ｂは、２つの単位パターンＵ４ａと１つの単位パターンＵ４ｂ、或いは１つの単位パターンＵ４ａと２つの単位パターンＵ４ｂが接する位置でもある。
【００８１】
なお、本実施形態における電極パターンＰＴは、図１６に一例を示すように、１本の細線片Ｔａと１本の細線片Ｔｂが接続される２方分岐の接続点ＣＰ２を含む。例えば、接続点ＣＰ２の１つは、単位パターンＵ４ａの細線片Ｔａ３及び細線片Ｔｂ４の端部同士が接続される接続点である。
また、図１１及び図１２の例と同じく、電極パターンＰＴの端部において複数の単位パターンＵ４ａ，Ｕ４ｂで共有されない細線片Ｔａ，Ｔｂの端部には、１本の細線片Ｔａと１本の細線片Ｔｂが接続された２方分岐の接続点が生じ得る。  
また、図１６の例では、細線片Ｔａ，Ｔｂが鋭角又は鈍角にて接続される場合を示しているが、細線片Ｔａ，Ｔｂが直角にて接続されてもよい。
【００８２】
（第５実施形態）
図１７は、第５実施形態に係る電極パターンＰＴの一部を示す模式図である。本実施形態に係る電極パターンＰＴは、図１７の左方に示す単位パターンＵ５ａ，Ｕ５ｂを組み合わせて構成される。具体的には、電極パターンＰＴは、第１配列方向ＤＵ１に沿って並ぶ複数の単位パターンＵ５ａと、この第１配列方向ＤＵ１に沿って並ぶ複数の単位パターンＵ５ｂとを、第２配列方向ＤＵ２に沿って交互に配置したパターンである。単位パターンＵ５ａは、細線片Ｔａ１，Ｔａ２，Ｔｂ１，Ｔｂ２，Ｔｂ３，Ｔｂ４で閉じられた平行四辺形のパターンである。単位パターンＵ５ｂは、細線片Ｔａ３，Ｔａ４，Ｔａ５，Ｔａ６，Ｔｂ５，Ｔｂ６で閉じられた平行四辺形のパターンである。単位パターンＵ５ａ，Ｕ５ｂは、第１配列方向ＤＵ１に沿う軸、及び、第２配列方向ＤＵ２に沿う軸に関して線対称の形状である。
【００８３】
電極パターンＰＴにおいて、隣り合う２つの単位パターンＵ５ａ、隣り合う２つの単位パターンＵ５ｂ、及び、隣り合う単位パターンＵ５ａと単位パターンＵ５ｂの輪郭は、１つの細線片Ｔを共用して形成されている。例えば第１配列方向ＤＵ１に連続する２つの単位パターンＵ５ａにおいては、その境界に配置される１本の細線片Ｔｂが、一方の単位パターンＵ５ａでは細線片Ｔｂ１として用いられ、他方の単位パターンＵ５ａでは細線片Ｔｂ４として用いられることで、これら単位パターンＵ５ａの輪郭が形成されている。
また、例えば第１配列方向ＤＵ１に連続する２つの単位パターンＵ５ｂにおいては、その境界に配置される１本の細線片Ｔａが、一方の単位パターンＵ５ｂでは細線片Ｔａ３として用いられ、他方の単位パターンＵ５ｂでは細線片Ｔａ６として用いられることで、これら単位パターンＵ５ｂの輪郭が形成されている。
【００８４】
単位パターンＵ５ａは、４つの単位パターンＵ５ｂと隣り合う。単位パターンＵ５ａの輪郭は、これら４つの単位パターンＵ５ｂの輪郭と細線片Ｔａ１，Ｔａ２，Ｔｂ２，Ｔｂ３を共用して形成されている。
また、単位パターンＵ５ｂは、４つの単位パターンＵ５ａと隣り合う。単位パターンＵ５ｂの輪郭は、これら４つの単位パターンＵ５ａの輪郭と細線片Ｔａ４，Ｔａ５，Ｔｂ５，Ｔｂ６を共用して形成されている。
【００８５】
電極パターンＰＴは、３本の細線片Ｔの端部が接続される接続点を多数含む。例えば図１７に示すように、隣り合う２つの単位パターンＵ５ａ、隣り合う２つの単位パターンＵ５ｂ、及び、隣り合う単位パターンＵ５ａ，Ｕ５ｂが共有する細線片Ｔａ，Ｔｂの端部には、２本の細線片Ｔａと１本の細線片Ｔｂとが接続される接続点ＣＰ１ａ、及び、１本の細線片Ｔａと２本の細線片Ｔｂとが接続される接続点ＣＰ１ｂが形成されている。
接続点ＣＰ１ａ，ＣＰ１ｂにおいては、２本の細線片Ｔが直線状に接続されるとともに、１本の細線片Ｔがこれら２本の細線片Ｔと１８０°を除く角度で接続される。したがって、接続点ＣＰ１ａ，ＣＰ１ｂは、３本の細線片Ｔが略Ｔ字型に分岐する形状を成す。
【００８６】
例えば、接続点ＣＰ１ａの１つは、単位パターンＵ５ｂの細線片Ｔａ３及び単位パターンＵ５ｂの細線片Ｔａ４（かつ単位パターンＵ５ａの細線片Ｔａ２）である２本の細線片Ｔａと、単位パターンＵ５ａの細線片Ｔｂ２である１本の細線片Ｔｂと、が接続される接続点である。
例えば、接続点ＣＰ１ｂの１つは、単位パターンＵ５ａの細線片Ｔａ２であり単位パターンＵ５ｂの細線片Ｔａ４である１本の細線片Ｔａと、単位パターンＵ５ａの細線片Ｔｂ４及び単位パターンＵ５ｂの細線片Ｔｂ６である２本の細線片Ｔｂと、が接続される接続点である。
【００８７】
図１７に示す接続点ＣＰ１ａ，ＣＰ１ｂは、２つの単位パターンＵ５ａと１つの単位パターンＵ５ｂ、或いは１つの単位パターンＵ５ａと２つの単位パターンＵ５ｂが接する位置でもある。
【００８８】
なお、図１７においては、電極パターンＰＴの一部として３本の細線片Ｔが接続される接続点のみを含むパターンを図示しているが、電極パターンＰＴは３以外の本数の細線片Ｔが接続される接続点を含んでもよい。例えば、図１１及び図１２の例と同じく、電極パターンＰＴの端部において複数の単位パターンＵ５ａ，Ｕ５ｂで共有されない細線片Ｔａ，Ｔｂの端部には、１本の細線片Ｔａと１本の細線片Ｔｂが接続された２方分岐の接続点が生じ得る。  
また、図１７の例では、細線片Ｔａ，Ｔｂが鋭角又は鈍角にて接続される場合を示しているが、細線片Ｔａ，Ｔｂが直角にて接続されてもよい。
【００８９】
（第６実施形態）
図１８は、第６実施形態に係る電極パターンＰＴの一部を示す模式図である。本実施形態に係る電極パターンＰＴは、図１８の左方に示す単位パターンＵ６を、第１配列方向ＤＵ１及び第２配列方向ＤＵ２に沿って配列して構成される。単位パターンＵ６は、細線片Ｔａ１，Ｔａ２，Ｔａ３，Ｔａ４，Ｔａ５，Ｔａ６，Ｔａ７，Ｔａ８，Ｔｂ１，Ｔｂ２，Ｔｂ３，Ｔｂ４，Ｔｂ５，Ｔｂ６で閉じられた１２角形のパターンである。単位パターンＵ６において細線片Ｔａ３，Ｔｂ３が構成する内角θ１、細線片Ｔａ４，Ｔｂ５が構成する内角θ２、細線片Ｔａ５，Ｔｂ２が構成する内角θ３、及び、細線片Ｔａ６，Ｔｂ４が構成する内角θ４は、いずれも１８０°より大きい（θ１，θ２，θ３，θ４＞１８０°）。
【００９０】
電極パターンＰＴにおいて、隣り合う２つの単位パターンＵ６の輪郭は、少なくとも１つの細線片Ｔを共用して形成されている。例えば第１配列方向ＤＵ１に連続する２つの単位パターンＵ６においては、その境界に配置される２本の細線片Ｔａと１本の細線片Ｔｂが、一方の単位パターンＵ６では細線片Ｔａ１，Ｔａ３，Ｔｂ３として用いられ、他方の単位パターンＵ６では細線片Ｔａ６，Ｔａ８，Ｔｂ４として用いられることで、これら単位パターンＵ６の輪郭が形成されている。
【００９１】
電極パターンＰＴは、３本の細線片Ｔの端部が接続される接続点を多数含む。例えば図１８に示すように、隣り合う単位パターンＵ６が共有する細線片Ｔａ，Ｔｂの端部には、２本の細線片Ｔａと１本の細線片Ｔｂとが接続される接続点ＣＰ１が形成されている。
接続点ＣＰ１においては、２本の細線片Ｔａが直線状に接続されるとともに、１本の細線片Ｔｂがこれら２本の細線片Ｔと１８０°を除く角度で接続される。したがって、接続点ＣＰ１は、３本の細線片Ｔが略Ｔ字型に分岐する形状を成す。
例えば、接続点ＣＰ１の１つは、第１の単位パターンＵ６の細線片Ｔａ２及び細線片Ｔａ３である２本の細線片Ｔａと、第１の単位パターンＵ６に隣り合う第２の単位パターンＵ６の細線片Ｔｂ２である１本の細線片Ｔｂと、が接続される接続点である。
図１８に示す接続点ＣＰ１は、３つの単位パターンＵ６が接する位置でもある。
【００９２】
なお、本実施形態における電極パターンＰＴは、図１８に一例を示すように、１本の細線片Ｔａと１本の細線片Ｔｂが接続される２方分岐の接続点ＣＰ２を含む。また、図１１及び図１２の例と同じく、電極パターンＰＴの端部において複数の単位パターンＵ６で共有されない細線片Ｔａ，Ｔｂの端部には、１本の細線片Ｔａと１本の細線片Ｔｂが接続された２方分岐の接続点が生じ得る。  
例えば、接続点ＣＰ２の１つは、単位パターンＵ６の細線片Ｔａ５及び細線片Ｔｂ１の端部同士が接続される接続点である。
また、図１８の例では、細線片Ｔａ，Ｔｂが鋭角又は鈍角にて接続される場合を示しているが、細線片Ｔａ，Ｔｂが直角にて接続されてもよい。
【００９３】
（第７実施形態）
図１９は、第７実施形態に係る電極パターンＰＴの一部を示す模式図である。本実施形態に係る電極パターンＰＴは、図１９の左方に示す単位パターンＵ７を、第１配列方向ＤＵ１及び第２配列方向ＤＵ２に沿って配列して構成される。単位パターンＵ７は、細線片Ｔａ１，Ｔａ２，Ｔａ３，Ｔａ４，Ｔｂ１，Ｔｂ２，Ｔｂ３，Ｔｂ４で閉じられた６角形のパターンである。単位パターンＵ７において細線片Ｔａ２，Ｔｂ２が構成する内角θは、１８０°より大きい（θ＞１８０°）。
【００９４】
電極パターンＰＴにおいて、隣り合う２つの単位パターンＵ７の輪郭は、少なくとも１つの細線片Ｔを共用して形成されている。例えば第１配列方向ＤＵ１に連続する２つの単位パターンＵ７においては、その境界に配置される１本の細線片Ｔａと１本の細線片Ｔｂが、一方の単位パターンＵ７では細線片Ｔａ２，Ｔｂ２として用いられ、他方の単位パターンＵ７では細線片Ｔａ４，Ｔｂ４として用いられることで、これら単位パターンＵ７の輪郭が形成されている。
【００９５】
例えば、接続点ＣＰ１ａの１つは、第１の単位パターンＵ７の細線片Ｔａ１及びこの第１の単位パターンＵ７に隣り合う第２の単位パターンＵ７の細線片Ｔａ２である２本の細線片Ｔａと、第１の単位パターンＵ７の細線片Ｔｂ３であり第２の単位パターンＵ７の細線片Ｔｂ１である１本の細線片Ｔｂと、が接続される接続点である。
例えば、接続点ＣＰ１ｂの１つは、第１の単位パターンＵ７の細線片Ｔａ３である１本の細線片Ｔａと、第１の単位パターンＵ７の細線片Ｔｂ１（かつ第１の単位パターンＵ７に隣り合う第２の単位パターンＵ７の細線片Ｔｂ３）及び第２の単位パターンＵ７の細線片Ｔｂ４である２本の細線片Ｔｂと、が接続される接続点である。
【００９６】
電極パターンＰＴは、３本の細線片Ｔの端部が接続される接続点を多数含む。例えば図１９に示すように、隣り合う単位パターンＵ７が共有する細線片Ｔａ，Ｔｂの端部には、２本の細線片Ｔａと１本の細線片Ｔｂとが接続される接続点ＣＰ１ａ、及び、１本の細線片Ｔａと２本の細線片Ｔｂとが接続される接続点ＣＰ１ｂが形成されている。
接続点ＣＰ１ａ，ＣＰ１ｂにおいては、２本の細線片Ｔが直線状に接続されるとともに、１本の細線片Ｔがこれら２本の細線片Ｔと１８０°を除く角度で接続される。したがって、接続点ＣＰ１ａ，ＣＰ１ｂは、３本の細線片Ｔが略Ｔ字型に分岐する形状を成す。
図１９に示す接続点ＣＰ１ａ，ＣＰ１ｂは、３つの単位パターンＵ７が接する位置でもある。
【００９７】
なお、本実施形態における電極パターンＰＴは、図１９に一例を示すように、１本の細線片Ｔａと１本の細線片Ｔｂが接続される２方分岐の接続点ＣＰ２を含む。例えば、接続点ＣＰ２の１つは、単位パターンＵ７の細線片Ｔａ２及び細線片Ｔｂ２の端部同士が接続される接続点である。また、図１１及び図１２の例と同じく、電極パターンＰＴの端部において複数の単位パターンＵ７で共有されない細線片Ｔａ，Ｔｂの端部には、１本の細線片Ｔａと１本の細線片Ｔｂが接続された２方分岐の接続点が生じ得る。  
また、図１９の例では、細線片Ｔａ，Ｔｂが鋭角又は鈍角にて接続される場合を示しているが、細線片Ｔａ，Ｔｂが直角にて接続されてもよい。
【００９８】
（第８実施形態）
図２０は、第８実施形態に係る電極パターンＰＴの一部を示す模式図である。本実施形態に係る電極パターンＰＴは、図２０の左方に示す単位パターンＵ８ａ，Ｕ８ｂを組み合わせて構成される。具体的には、電極パターンＰＴは、第１配列方向ＤＵ１に沿って並ぶ複数の単位パターンＵ８ａと、この第１配列方向ＤＵ１に沿って並ぶ複数の単位パターンＵ８ｂとを、第２配列方向ＤＵ２に沿って交互に配置したパターンである。単位パターンＵ８ａは、細線片Ｔａ１，Ｔａ２，Ｔａ３，Ｔａ４，Ｔｂ１，Ｔｂ２，Ｔｂ３，Ｔｂ４で閉じられた６角形のパターンである。単位パターンＵ８ｂは、細線片Ｔａ５，Ｔａ６，Ｔａ７，Ｔａ８，Ｔｂ５，Ｔｂ６，Ｔｂ７，Ｔｂ８で閉じられた６角形のパターンである。単位パターンＵ８ａと単位パターンＵ８ｂは、第２配列方向ＤＵ２に沿う軸に関して線対称の形状である。単位パターンＵ８ａにおいて細線片Ｔａ２，Ｔｂ２が構成する内角θ１、及び、単位パターンＵ８ｂにおいて細線片Ｔａ７，Ｔｂ７が構成する内角θ２は、いずれも１８０°より大きい（θ１，θ２＞１８０°）。
【００９９】
電極パターンＰＴにおいて、隣り合う２つの単位パターンＵ８ａ、隣り合う２つの単位パターンＵ８ｂ、及び、隣り合う単位パターンＵ８ａと単位パターンＵ８ｂの輪郭は、少なくとも１つの細線片Ｔを共用して形成されている。例えば第１配列方向ＤＵ１に連続する２つの単位パターンＵ８ａにおいては、その境界に配置される１本の細線片Ｔａと１本の細線片Ｔｂが、一方の単位パターンＵ８ａでは細線片Ｔａ２，Ｔｂ２として用いられ、他方の単位パターンＵ８ａでは細線片Ｔａ４，Ｔｂ４として用いられることで、これら単位パターンＵ８ａの輪郭が形成されている。
また、例えば第１配列方向ＤＵ１に連続する２つの単位パターンＵ８ｂにおいては、その境界に配置される１本の細線片Ｔａと１本の細線片Ｔｂが、一方の単位パターンＵ８ｂでは細線片Ｔａ５，Ｔｂ５として用いられ、他方の単位パターンＵ８ｂでは細線片Ｔａ７，Ｔｂ７して用いられることで、これら単位パターンＵ８ｂの輪郭が形成されている。
【０１００】
単位パターンＵ８ａは、４つの単位パターンＵ８ｂと隣り合う。単位パターンＵ８ａの輪郭は、これら４つの単位パターンＵ８ｂの輪郭と細線片Ｔａ１，Ｔａ３，Ｔｂ１，Ｔｂ３を共用して形成されている。
また、単位パターンＵ８ｂは、４つの単位パターンＵ８ａと隣り合う。単位パターンＵ８ｂの輪郭は、これら４つの単位パターンＵ８ａの輪郭と細線片Ｔａ６，Ｔａ８，Ｔｂ６，Ｔｂ８を共用して形成されている。
【０１０１】
電極パターンＰＴは、３本の細線片Ｔの端部が接続される接続点を多数含む。例えば図２０に示すように、隣り合う２つの単位パターンＵ８ａ、隣り合う２つの単位パターンＵ８ｂ、及び、隣り合う単位パターンＵ８ａ，Ｕ８ｂが共有する細線片Ｔａ，Ｔｂの端部には、２本の細線片Ｔａと１本の細線片Ｔｂとが接続される接続点ＣＰ１ａ、及び、１本の細線片Ｔａと２本の細線片Ｔｂとが接続される接続点ＣＰ１ｂが形成されている。
接続点ＣＰ１ａ，ＣＰ１ｂにおいては、２本の細線片Ｔが直線状に接続されるとともに、１本の細線片Ｔがこれら２本の細線片Ｔと１８０°を除く角度で接続される。したがって、接続点ＣＰ１ａ，ＣＰ１ｂは、３本の細線片Ｔが略Ｔ字型に分岐する形状を成す。
【０１０２】
例えば、接続点ＣＰ１ａの１つは、単位パターンＵ８ａの細線片Ｔａ３（かつ単位パターンＵ８ｂの細線片Ｔａ６）及び単位パターンＵ８ａの細線片Ｔａ４である２本の細線片Ｔａと、単位パターンＵ８ｂの細線片Ｔｂ１である１本の細線片Ｔｂと、が接続される接続点である。
例えば、接続点ＣＰ１ｂの１つは、単位パターンＵ８ａの細線片Ｔａ１である１本の細線片Ｔａと、単位パターンＵ８ａの細線片Ｔｂ３（かつ単位パターンＵ８ｂの細線片Ｔｂ６）及び単位パターンＵ８ｂの細線片Ｔｂ５である２本の細線片Ｔｂと、が接続される接続点である。
【０１０３】
図２０に示す接続点ＣＰ１ａ，ＣＰ１ｂは、２つの単位パターンＵ８ａと１つの単位パターンＵ８ｂ、或いは１つの単位パターンＵ８ａと２つの単位パターンＵ８ｂが接する位置でもある。
【０１０４】
なお、本実施形態における電極パターンＰＴは、図２０に一例を示すように、１本の細線片Ｔａと１本の細線片Ｔｂが接続される２方分岐の接続点ＣＰ２を含む。例えば、接続点ＣＰ２の１つは、単位パターンＵ８ａの細線片Ｔａ２及び細線片Ｔｂ２の端部同士が接続される接続点である。また、図１１及び図１２の例と同じく、電極パターンＰＴの端部において複数の単位パターンＵ８ａ，Ｕ８ｂで共有されない細線片Ｔａ，Ｔｂの端部には、１本の細線片Ｔａと１本の細線片Ｔｂが接続された２方分岐の接続点が生じ得る。  
また、図２０の例では、細線片Ｔａ，Ｔｂが鋭角又は鈍角にて接続される場合を示しているが、細線片Ｔａ，Ｔｂが直角にて接続されてもよい。
【０１０５】
（第９実施形態）
図２１は、第９実施形態に係る電極パターンＰＴの一部を示す模式図である。本実施形態に係る電極パターンＰＴは、図２１の左方に示す単位パターンＵ９ａ，Ｕ９ｂを組み合わせて構成される。具体的には、電極パターンＰＴは、第１配列方向ＤＵ１に沿って並ぶ複数の単位パターンＵ９ａと、この第１配列方向ＤＵ１に沿って並ぶ複数の単位パターンＵ９ｂとを、第２配列方向ＤＵ２に沿って交互に配置したパターンである。
【０１０６】
単位パターンＵ９ａ，Ｕ９ｂは、細線片Ｔａ，Ｔｂに加えて、細線片Ｔｃ，Ｔｄを用いて構成される。細線片Ｔｃは、第１延出方向ＤＴ１及び第２延出方向ＤＴ２と交わる第３延出方向ＤＴ３に沿って直線状に延びる。細線片Ｔｄは、第１延出方向ＤＴ１、第２延出方向ＤＴ２及び第３延出方向ＤＴ３と交わる第４延出方向ＤＴ４に沿って直線状に延びる。単位パターンＵ９ａは、細線片Ｔａ１，Ｔａ２，Ｔａ３，Ｔｂ１，Ｔｃ１，Ｔｃ２，Ｔｄ１，Ｔｄ２で閉じられた７角形のパターンである。単位パターンＵ９ｂは、細線片Ｔａ４，Ｔｂ２，Ｔｂ３，Ｔｂ４，Ｔｃ３，Ｔｃ４，Ｔｄ３，Ｔｄ４で閉じられた７角形のパターンである。単位パターンＵ９ａと単位パターンＵ９ｂは、第２配列方向ＤＵ２に沿う軸に関して線対称の形状である。単位パターンＵ９ａにおいて細線片Ｔａ２，Ｔｄ１が構成する内角θ１、及び、単位パターンＵ９ｂにおいて細線片Ｔｂ３，Ｔｃ３が構成する内角θ２は、いずれも１８０°より大きい（θ１，θ２＞１８０°）。
【０１０７】
電極パターンＰＴにおいて、隣り合う２つの単位パターンＵ９ａ、隣り合う２つの単位パターンＵ９ｂ、及び、隣り合う単位パターンＵ９ａと単位パターンＵ９ｂの輪郭は、少なくとも１つの細線片Ｔを共用して形成されている。例えば第１配列方向ＤＵ１に連続する２つの単位パターンＵ９ａにおいては、その境界に配置される１本の細線片Ｔａが、一方の単位パターンＵ９ａでは細線片Ｔａ１として用いられ、他方の単位パターンＵ９ａでは細線片Ｔａ３として用いられることで、これら単位パターンＵ９ａの輪郭が形成されている。
また、例えば第１配列方向ＤＵ１に連続する２つの単位パターンＵ９ｂにおいては、その境界に配置される１本の細線片Ｔｂが、一方の単位パターンＵ９ｂでは細線片Ｔｂ２として用いられ、他方の単位パターンＵ９ｂでは細線片Ｔｂ４として用いられることで、これら単位パターンＵ９ｂの輪郭が形成されている。
【０１０８】
単位パターンＵ９ａは、４つの単位パターンＵ９ｂと隣り合う。単位パターンＵ９ａの輪郭は、これら４つの単位パターンＵ９ｂの輪郭と細線片Ｔａ２，Ｔｂ１，Ｔｃ１，Ｔｃ２，Ｔｄ１，Ｔｄ２を共用して形成されている。
また、単位パターンＵ９ｂは、４つの単位パターンＵ９ａと隣り合う。単位パターンＵ９ｂの輪郭は、これら４つの単位パターンＵ９ａの輪郭と細線片Ｔａ４，Ｔｂ３，Ｔｃ３，Ｔｃ４，Ｔｄ３，Ｔｄ４を共用して形成されている。
【０１０９】
電極パターンＰＴは、３本の細線片Ｔの端部が接続される接続点を多数含む。例えば図２１に示すように、隣り合う２つの単位パターンＵ９ａ、隣り合う２つの単位パターンＵ９ｂ、及び、隣り合う単位パターンＵ９ａ，Ｕ９ｂが共有する細線片Ｔａ，Ｔｂの端部には、１本の細線片Ｔａと２本の細線片Ｔｄとが接続される接続点ＣＰ１ａ、１本の細線片Ｔｂと２本の細線片Ｔｃとが接続される接続点ＣＰ１ｂ、１本の細線片Ｔａと１本の細線片Ｔｂと１本の細線片Ｔｃとが接続される接続点ＣＰ１ｃ、及び、１本の細線片Ｔａと１本の細線片Ｔｂと１本の細線片Ｔｄとが接続される接続点ＣＰ１ｄが形成されている。
【０１１０】
接続点ＣＰ１ａ，ＣＰ１ｂにおいては、２本の細線片Ｔが直線状に接続されるとともに、１本の細線片Ｔがこれら２本の細線片Ｔと１８０°を除く角度で接続される。したがって、接続点ＣＰ１ａ，ＣＰ１ｂは、３本の細線片Ｔが略Ｔ字型に分岐する形状を成す。
一方、接続点ＣＰ１ｃ，ＣＰ１ｄにおいては、３本の細線片Ｔのそれぞれが非直線状に接続される。したがって、接続点ＣＰ１ｃ，ＣＰ１ｄは、これら３本の細線片Ｔが略Ｙ字型に分岐する形状を成す。
【０１１１】
１本の細線片Ｔａと２本の細線片Ｔｄとが接続される接続点ＣＰ１ａの例として、下記が挙げられる。接続点ＣＰ１ａの１つは、単位パターンＵ９ａの細線片Ｔａ１である１本の細線片Ｔａと、単位パターンＵ９ａの細線片Ｔｄ２（かつ単位パターンＵ９ｂの細線片Ｔｄ４）及び単位パターンＵ９ｂの細線片Ｔｄ３である２本の細線片Ｔｄと、が接続される接続点である。
１本の細線片Ｔｂと２本の細線片Ｔｃとが接続される接続点ＣＰ１ｂの例として、下記が挙げられる。接続点ＣＰ１ｂの１つは、単位パターンＵ９ｂの細線片Ｔｂ２である１本の細線片Ｔｂと、単位パターンＵ９ａの細線片Ｔｃ１及び単位パターンＵ９ａの細線片Ｔｃ２（かつ単位パターンＵ９ｂの細線片Ｔｃ４）である２本の細線片Ｔｃと、が接続される接続点である。
１本の細線片Ｔａと１本の細線片Ｔｂと１本の細線片Ｔｃとが接続される接続点ＣＰ１ｃの例として、下記が挙げられる。接続点ＣＰ１ｃの１つは、単位パターンＵ９ａの細線片Ｔａ１である１本の細線片Ｔａと、単位パターンＵ９ｂの細線片Ｔｂ３である１本の細線片Ｔｂと、単位パターンＵ９ａの細線片Ｔｃ２（かつ単位パターンＵ９ｂの細線片Ｔｃ４）である１本の細線片Ｔｃと、が接続される接続点である。
１本の細線片Ｔａと１本の細線片Ｔｂと１本の細線片Ｔｄとが接続される接続点ＣＰ１ｄの例として、下記が挙げられる。接続点ＣＰ１ｄの１つは、単位パターンＵ９ａの細線片Ｔａ２である１本の細線片Ｔａと、単位パターンＵ９ｂの細線片Ｔｂ２である１本の細線片Ｔｂと、単位パターンＵ９ａの細線片Ｔｄ２（かつ単位パターンＵ９ｂの細線片Ｔｄ４）である１本の細線片Ｔｄと、が接続される接続点である。
【０１１２】
図２１に示す接続点ＣＰ１ａ，ＣＰ１ｂ，ＣＰ１ｃ，ＣＰ１ｄは、２つの単位パターンＵ９ａと１つの単位パターンＵ９ｂ、或いは１つの単位パターンＵ９ａと２つの単位パターンＵ９ｂが接する位置でもある。
【０１１３】
なお、本実施形態における電極パターンＰＴは、図２１に一例を示すように、１本の細線片Ｔａと１本の細線片Ｔｄが接続される２方分岐の接続点ＣＰ２ａ、及び、１本の細線片Ｔｂと１本の細線片Ｔｃが接続される２方分岐の接続点ＣＰ２ｂを含む。また、図１１及び図１２の例と同じく、電極パターンＰＴの端部において複数の単位パターンＵ９ａ，Ｕ９ｂで共有されない細線片Ｔａ，Ｔｂ，Ｔｃ，Ｔｄの端部には、細線片Ｔａ，Ｔｂ，Ｔｃ，Ｔｄのうちのいずれか２本が接続された２方分岐の接続点が生じ得る。  
１本の細線片Ｔａと１本の細線片Ｔｄが接続される２方分岐の接続点ＣＰ２ａの例として、下記が挙げられる。接続点ＣＰ２ａの１つは、単位パターンＵ９ａの細線片Ｔａ２及び細線片Ｔｄ１の端部同士が接続される接続点である。
１本の細線片Ｔｂと１本の細線片Ｔｃが接続される２方分岐の接続点ＣＰ２ｂの例として、下記が挙げられる。接続点ＣＰ２ａの１つは、単位パターンＵ９ａの細線片Ｔｂ１及び細線片Ｔｃ１の端部同士が接続される接続点である。
【０１１４】
（第１０実施形態）
図２２は、第１０実施形態に係る電極パターンＰＴの一部を示す模式図である。本実施形態に係る電極パターンＰＴは、図２２の左方に示す単位パターンＵ１０ａ，Ｕ１０ｂ，Ｕ１０ｃ，Ｕ１０ｄを組み合わせて構成される。具体的には、電極パターンＰＴは、第１配列方向ＤＵ１に沿って交互に並ぶ単位パターンＵ１０ａ，Ｕ１０ｂと、この第１配列方向ＤＵ１に沿って交互に並ぶ単位パターンＵ１０ｃ，Ｕ１０ｄとを、第２配列方向ＤＵ２に沿って交互に配置したパターンである。
【０１１５】
単位パターンＵ１０ａ，Ｕ１０ｂ，Ｕ１０ｃ，Ｕ１０ｄは、細線片Ｔａ，Ｔｂに加えて、細線片Ｔｃ，Ｔｄを用いて構成される。細線片Ｔｃは、第１延出方向ＤＴ１及び第２延出方向ＤＴ２と交わる第３延出方向ＤＴ３に沿って直線状に延びる。細線片Ｔｄは、第１延出方向ＤＴ１、第２延出方向ＤＴ２及び第３延出方向ＤＴ３と交わる第４延出方向ＤＴ４に沿って直線状に延びる。
【０１１６】
単位パターンＵ１０ａは、細線片Ｔａ１，Ｔａ２，Ｔｂ１，Ｔｂ２，Ｔｃ１，Ｔｃ２で閉じられた６角形のパターンである。単位パターンＵ１０ｂは、細線片Ｔａ３，Ｔａ４，Ｔｃ３，Ｔｃ４，Ｔｄ１，Ｔｄ２で閉じられた６角形のパターンである。単位パターンＵ１０ｃは、細線片Ｔｂ３，Ｔｂ４，Ｔｃ５，Ｔｃ６，Ｔｄ３，Ｔｄ４で閉じられた６角形のパターンである。単位パターンＵ１０ｄは、細線片Ｔａ５，Ｔａ６，Ｔｂ５，Ｔｂ６，Ｔｄ５，Ｔｄ６で閉じられた６角形のパターンである。単位パターンＵ１０ａと単位パターンＵ１０ｂ、単位パターンＵ１０ｃと単位パターンＵ１０ｄ、単位パターンＵ１０ａと単位パターンＵ１０ｄ、単位パターンＵ１０ｂと単位パターンＵ１０ｃのそれぞれは、いずれも所定の軸に関して線対称の形状である。単位パターンＵ１０ａにおいて細線片Ｔａ２，Ｔｃ２が構成する内角θ１、単位パターンＵ１０ｂにおいて細線片Ｔａ３，Ｔｃ３が構成する内角θ２、単位パターンＵ１０ｃにおいて細線片Ｔｂ３，Ｔｄ３が構成する内角θ３、及び、単位パターンＵ１０ｄにおいて細線片Ｔｂ６，Ｔｄ６が構成する内角θ４は、いずれも１８０°より大きい（θ１，θ２，θ３，θ４＞１８０°）。
【０１１７】
電極パターンＰＴにおいては、単位パターンＵ１０ａ，Ｕ１０ｂ，Ｕ１０ｃ，Ｕ１０ｄのうち、同一の単位パターンが隣り合わない。すなわち、単位パターンＵ１０ａは単位パターンＵ１０ｂ，Ｕ１０ｃ，Ｕ１０ｄと隣り合い、単位パターンＵ１０ｂは単位パターンＵ１０ａ，Ｕ１０ｃ，Ｕ１０ｄと隣り合い、単位パターンＵ１０ｃは単位パターンＵ１０ａ，Ｕ１０ｂ，Ｕ１０ｄと隣り合い、単位パターンＵ１０ｄは単位パターンＵ１０ａ，Ｕ１０ｂ，Ｕ１０ｃと隣り合う。隣り合う単位パターンの輪郭は、少なくとも１つの細線片Ｔを共用して形成されている。例えば第１配列方向ＤＵ１に連続する単位パターンＵ１０ａと単位パターンＵ１０ｂにおいては、その境界に配置される１本の細線片Ｔｃが、単位パターンＵ１０ａでは細線片Ｔｃ２として用いられ、単位パターンＵ１０ｂでは細線片Ｔｃ３として用いられることで、これら単位パターンＵ１０ａ，Ｕ１０ｂの輪郭が形成されている。
【０１１８】
また、例えば第２配列方向ＤＵ２に連続する単位パターンＵ１０ａと単位パターンＵ１０ｃにおいては、その境界に配置される１本の細線片Ｔｃが、単位パターンＵ１０ａでは細線片Ｔｃ１として用いられ、単位パターンＵ１０ｃでは細線片Ｔｃ６として用いられることで、これら単位パターンＵ１０ａ，Ｕ１０ｃの輪郭が形成されている。
また、例えば第２配列方向ＤＵ２に連続する単位パターンＵ１０ａと単位パターンＵ１０ｄにおいては、その境界に配置される１本の細線片Ｔａが、単位パターンＵ１０ａでは細線片Ｔａ２として用いられ、単位パターンＵ１０ｄでは細線片Ｔａ５として用いられることで、これら単位パターンＵ１０ａ，Ｕ１０ｄの輪郭が形成されている。
【０１１９】
電極パターンＰＴは、３本の細線片Ｔの端部が接続される接続点を多数含む。例えば図２２に示すように、単位パターンＵ１０ａ，Ｕ１０ｂ，Ｕ１０ｃ，Ｕ１０ｄのいずれか２つが共有する細線片Ｔａ，Ｔｂ，Ｔｃ，Ｔｄの端部には、細線片Ｔａ，Ｔｂ，Ｔｃが１本ずつ接続される接続点ＣＰ１ａ、細線片Ｔａ，Ｔｃ，Ｔｄが１本ずつ接続される接続点ＣＰ１ｂ、細線片Ｔａ，Ｔｂ，Ｔｄが１本ずつ接続される接続点ＣＰ１ｃ、及び、細線片Ｔｂ，Ｔｃ，Ｔｄが１本ずつ接続される接続点ＣＰ１ｄが形成されている。
【０１２０】
接続点ＣＰ１ａ，ＣＰ１ｂ，ＣＰ１ｃ，ＣＰ１ｄにおいては、３本の細線片Ｔのそれぞれが非直線状に接続される。したがって、接続点ＣＰ１ａ，ＣＰ１ｂ，ＣＰ１ｃ，ＣＰ１ｄは、これら３本の細線片Ｔが略Ｙ字型に分岐する形状を成す。
【０１２１】
細線片Ｔａ，Ｔｂ，Ｔｃが１本ずつ接続される接続点ＣＰ１の例として、下記が挙げられる。接続点ＣＰ１ａの１つは、単位パターンＵ１０ｂの細線片Ｔａ３かつ単位パターンＵ１０ｄの細線片Ｔａ６である１本の細線片Ｔａと、単位パターンＵ１０ａの細線片Ｔｂ１かつ単位パターンＵ１０ｄの細線片Ｔｂ６である１本の細線片Ｔｂと、単位パターンＵ１０ａの細線片Ｔｃ２かつ単位パターンＵ１０ｂの細線片Ｔｃ３である１本の細線片Ｔｃと、が接続される接続点である。
【０１２２】
細線片Ｔａ，Ｔｃ，Ｔｄが１本ずつ接続される接続点ＣＰ１ｂの例として、下記が挙げられる。接続点ＣＰ１ｂの１つは、単位パターンＵ１０ａの細線片Ｔａ１かつ単位パターンＵ１０ｂの細線片Ｔａ４である１本の細線片Ｔａと、単位パターンＵ１０ａの細線片Ｔｃ１かつ単位パターンＵ１０ｃの細線片Ｔｃ６である１本の細線片Ｔｃと、単位パターンＵ１０ｂの細線片Ｔｄ１かつ単位パターンＵ１０ｃの細線片Ｔｄ４である１本の細線片Ｔｄと、が接続される接続点である。
【０１２３】
細線片Ｔａ，Ｔｂ，Ｔｄが１本ずつ接続される接続点ＣＰ１ｃの例として、下記が挙げられる。接続点ＣＰ１ｃの１つは、単位パターンＵ１０ｂの細線片Ｔａ３かつ単位パターンＵ１０ｄの細線片Ｔａ６である１本の細線片Ｔａと、単位パターンＵ１０ｃの細線片Ｔｂ４かつ単位パターンＵ１０ｄの細線片Ｔｂ５である１本の細線片Ｔｂと、単位パターンＵ１０ｂの細線片Ｔｄ１かつ単位パターンＵ１０ｃの細線片Ｔｄ４である１本の細線片Ｔｄと、が接続される接続点である。
【０１２４】
細線片Ｔｂ，Ｔｃ，Ｔｄが１本ずつ接続される接続点ＣＰ１ｄとして、下記が挙げられる。接続点ＣＰ１ｄの１つは、単位パターンＵ１０ｃの細線片Ｔｂ４かつ単位パターンＵ１０ｄの細線片Ｔｂ５である１本の細線片Ｔｂと、単位パターンＵ１０ｂの細線片Ｔｃ４かつ単位パターンＵ１０ｃの細線片Ｔｃ５である１本の細線片Ｔｃと、単位パターンＵ１０ｂの細線片Ｔｄ２かつ単位パターンＵ１０ｄの細線片Ｔｄ５である１本の細線片Ｔｄと、が接続される接続点である。
【０１２５】
図２２に示す接続点ＣＰ１ａ，ＣＰ１ｂ，ＣＰ１ｃ，ＣＰ１ｄは、単位パターンＵ１０ａ，Ｕ１０ｂ，Ｕ１０ｃ，Ｕ１０ｄのいずれか３つが接する位置でもある。  
なお、図１１及び図１２の例と同じく、電極パターンＰＴの端部において単位パターンＵ１０ａ，Ｕ１０ｂ，Ｕ１０ｃ，Ｕ１０ｄのいずれか複数で共有されない細線片Ｔａ，Ｔｂ，Ｔｃ，Ｔｄの端部には、細線片Ｔａ，Ｔｂ，Ｔｃ，Ｔｄのうちのいずれか２本が接続された２方分岐の接続点が生じ得る。  
【０１２６】
以上説明した第２〜第１０実施形態に係る電極パターンＰＴに含まれる接続点は、主に３方分岐の接続点である。したがって、これら実施形態に係る電極パターンＰＴを用いることにより、第１実施形態と同じく、モアレの発生を防止ないしは低減できる。  
その他、第２〜第１０実施形態によれば、第１実施形態と同様の作用が得られる。
【０１２７】
また、第２〜第５，第８〜第１０実施形態のように、複数種類の単位パターンＵにて電極パターンＰＴを構成したり、第３，第４，第６〜第１０実施形態のように、１８０°を超える内角を少なくとも１つ有する４角形を除く多角形の輪郭の単位パターンＵにて電極パターンＰＴを構成したりすることにより、電極パターンＰＴが複雑なものとなり、センサＳＥの検出性能を良好に保つことができる。すなわち、検出面において共通電極ＣＥと細線片Ｔとの非対向領域が広半径に亘って拡がれば、その部分において利用者の指などの近接が検出されにくくなる場合も生じ得る。しかしながら、電極パターンＰＴが上記のように複雑であれば、広半径に亘る非対向領域が生じにくくなるために、センサＳＥの検出性能を良好に保つことができる。
【０１２８】
また、第１０実施形態においては、多種類の細線片Ｔを用いて多種類の単位パターンを構成し、これら単位パターンを用いて電極パターンＰＴを構成しているため、接続点が直線状に並びにくい。このような電極パターンＰＴを用いて液晶表示装置ＤＳＰを構成することにより、表示領域ＤＡと電極パターンＰＴとの干渉に起因したモアレを防止ないしは低減する効果をより一層高めることができる。
【０１２９】
なお、第１〜第１０実施形態において、ダミー電極ＤＲとしては、例えば各実施形態に係る電極パターンＰＴと同様のパターンを用いることができる。この場合、ダミー電極ＤＲにおけるパターンを電気的にフローティング状態とすべく、例えばダミー電極ＤＲに含まれる各細線片の端部同士が非接続となるように当該パターンを形成してもよい。
以上説明した実施形態にて開示した構成は、適宜変形して実施することができる。以下に、いくつかの変形例を示す。
【０１３０】
（変形例１）
表示領域ＤＡにおける画素配列の態様は、図１１及び図１２に示したものに限られない。本変形例においては、図２３を用いて表示領域ＤＡにおける画素配列の他の態様について説明する。図２３に示す表示領域ＤＡにおいては、赤色の副画素ＳＰＸＲ、緑色の副画素ＳＰＸＧ、青色の副画素ＳＰＸＢがＸ方向及びＹ方向に沿ってマトリクス状に配列されている。各副画素ＳＰＸＲ，ＳＰＸＧ，ＳＰＸＢは、Ｘ方向及びＹ方向のそれぞれにおいて、同一の色に対応するものが連続しないように配置されている。例えば、１つの単位画素ＰＸは、Ｘ方向に連続する副画素ＳＰＸＲ及び副画素ＳＰＸＧと、この副画素ＳＰＸＲの下方に位置する副画素ＳＰＸＢとによって構成される。  
このような表示領域ＤＡを用いる場合であっても、上記実施形態と同様の作用が得られる。
【０１３１】
（変形例２）
本変形例においては、図２４を用いて表示領域ＤＡにおける画素配列のさらに他の態様について説明する。図２４に示す表示領域ＤＡにおいては、赤色の副画素ＳＰＸＲ、緑色の副画素ＳＰＸＧ、青色の副画素ＳＰＸＢ、白色の副画素ＳＰＸＷがＸ方向及びＹ方向に沿ってマトリクス状に配列されている。この表示領域ＤＡは、２種類の単位画素ＰＸ１，ＰＸ２を含む。単位画素ＰＸ１は、Ｘ方向に並ぶ副画素ＳＰＸＲ，ＳＰＸＧ，ＳＰＸＢによって構成される。単位画素ＰＸ２は、Ｘ方向に並ぶ副画素ＳＰＸＲ，ＳＰＸＧ，ＳＰＸＷによって構成される。単位画素ＰＸ１，ＰＸ２は、Ｘ方向において交互に配置される。また、単位画素ＰＸ１，ＰＸ２は、Ｙ方向においても交互に配置される。  
このような表示領域ＤＡを用いる場合であっても、上記実施形態と同様の作用が得られる。
【０１３２】
なお、変形例２では白色の副画素を用いた例について述べたが、白色に代えて、例えば黄色の副画素を用いてもよい。
【０１３３】
以上説明した他にも、上記実施形態或いはその変形例として開示した各構成を基にして、当業者が適宜設計変更して実施し得る全ての構成も、本発明の要旨を包含する限り、本発明の範囲に属する。例えば、電極パターンＰＴは上記実施形態或いはその変形例にて開示した技術思想に基づいて設計された部分を含めばよく、実際の製品はその製造過程で生じる誤差や僅かな設計変更に起因して本発明の範囲から外れるものではない。
【０１３４】
また、上記実施形態或いはその変形例において述べた態様によりもたらされる他の作用効果について本明細書の記載から明らかなもの、又は当業者において適宜想到し得るものついては、当然に本発明によりもたらされるものと解される。
【符号の説明】
【０１３５】
ＤＳＰ…液晶表示装置、ＰＮＬ…液晶表示パネル、ＳＥ…センサ、ＤＡ…表示領域、Ｒｘ…検出電極、ＳＰＸＲ，ＳＰＸＧ，ＳＰＸＢ，ＳＰＸＷ…副画素、ＰＸ…単位画素、ＣＥ…共通電極、ＲＣ…検出回路、ＰＴ…電極パターン、Ｕ…単位パターン、ＤＵ１…第１配列方向、ＤＵ２…第２配列方向、ＣＰ１，ＣＰ２…接続点
【図１】
2015232819.tif 000003
【図２】
2015232819.tif 000004
【図３】
2015232819.tif 000005
【図４】
2015232819.tif 000006
【図５】
2015232819.tif 000007
【図６】
2015232819.tif 000008
【図７】
2015232819.tif 000009
【図８】
2015232819.tif 000010
【図９】
2015232819.tif 000011
【図１０】
2015232819.tif 000012
【図１１】
2015232819.tif 000013
【図１２】
2015232819.tif 000014
【図１３】
2015232819.tif 000015
【図１４】
2015232819.tif 000016
【図１５】
2015232819.tif 000017
【図１６】
2015232819.tif 000018
【図１７】
2015232819.tif 000019
【図１８】
2015232819.tif 000020
【図１９】
2015232819.tif 000021
【図２０】
2015232819.tif 000022
【図２１】
2015232819.tif 000023
【図２２】
2015232819.tif 000024
【図２３】
2015232819.tif 000025
【図２４】
2015232819.tif 000026